(57)【特許請求の範囲】
【請求項１】
データ送信方法であって、前記方法は１次リンク及び空間再使用リンクを含む通信システムに適用され、前記１次リンクは１次機器の間に設定され、前記空間再使用リンクは空間再使用送信機器の間に設定され、前記方法は、
前記１次機器により、空間再使用送信を示す情報を取得するステップであって、前記情報はＳＩＧ−Ａフィールドで伝達され及び前記１次リンクの時間周波数リソースのうちの全部又は一部を用いて空間再使用送信を実行するよう前記空間再使用リンクの空間再使用送信機器に指示するために使用される、ステップと、
前記１次機器により、前記情報を送信するステップと、
を含む方法。
【請求項２】
前記１次機器は１次アクセスポイントであり、他の１次機器は１次局である、請求項１に記載の方法。
【請求項３】
前記１次機器は１次局であり、他の１次機器は１次アクセスポイントである、請求項１に記載の方法。
【請求項４】
前記情報は、アップリンクデータフレームのＳＩＧ−Ａフィールドで伝達される、請求項３に記載の方法。
【請求項５】
前記方法は、
前記１次局により、前記１次アクセスポイントにより送信されたトリガフレームを受信するステップであって、前記トリガフレームの負荷情報は、空間再使用送信を示す前記情報を伝達し、空間再使用送信を示す前記情報は、前記空間再使用リンクの空間再使用送信機器に、前記１次リンクの前記時間周波数リソースのうちの全部又は一部を用いて空間再使用送信を実行するよう指示するために使用される、ステップ、を更に含む請求項４に記載の方法。
【請求項６】
空間再使用送信を示す前記情報は、前記空間再使用リンクの前記空間再使用送信機器が、前記１次リンクの時間周波数リソースの全部又は一部を使用することを禁止されていることを示すために使用される、又は、
空間再使用送信を示す前記情報は、前記空間再使用リンクの前記空間再使用送信機器が、前記１次リンクの時間周波数リソースの全部又は一部を使用することを許可されていることを示すために使用される、
請求項１乃至５のいずれか一項に記載の方法。
【請求項７】
空間再使用送信を示す前記情報は４ビットを占有し、前記４ビットの値が０である場合、空間再使用送信を示す前記情報は、前記空間再使用送信が禁止されることを示す、請求項１乃至５のいずれか一項に記載の方法。
【請求項８】
空間再使用送信を示す前記情報は４ビットを占有し、前記４ビットの値が１〜１４である場合、空間再使用送信を示す前記情報は判定パラメータを示し、前記判定パラメータは、前記空間再使用送信が行われているとき許容される干渉電力に関連付けられる、請求項１乃至５のいずれか一項に記載の方法。
【請求項９】
データ送信方法であって、前記方法は１次リンク及び空間再使用リンクを含む通信システムに適用され、前記１次リンクは１次アクセスポイントと１次局との間に設定され、前記空間再使用リンクは空間再使用送信機器の間に設定され、前記方法は、
前記１次アクセスポイントにより、トリガフレームを生成するステップであって、前記トリガフレームの負荷情報は、前記空間再使用リンクの空間再使用送信機器に、前記１次リンクの時間周波数リソースの全部又は一部を用いて空間再使用送信を実行するよう指示するために使用される空間再使用送信を示す情報を伝達する、ステップと、
前記１次アクセスポイントにより、前記トリガフレームを送信するステップと、
を含む方法。
【請求項１０】
前記１次アクセスポイントにより、前記トリガフレームを送信するステップの後に、前記方法は、
アップリンクデータフレームを受信するステップであって、前記アップリンクデータフレームのＳＩＧ−Ａフィールドは空間再使用送信を示す前記情報を伝達する、ステップ、を更に含む請求項９に記載の方法。
【請求項１１】
空間再使用送信を示す前記情報は、前記空間再使用リンクの前記空間再使用送信機器が、前記１次リンクの時間周波数リソースの全部又は一部を使用することを禁止されていることを示すために使用される、又は、
空間再使用送信を示す前記情報は、前記空間再使用リンクの前記空間再使用送信機器が、前記１次リンクの時間周波数リソースの全部又は一部を使用することを許可されていることを示すために使用される、
請求項９又は請求項１０に記載の方法。
【請求項１２】
空間再使用送信を示す前記情報は４ビットを占有し、前記４ビットの値が０である場合、空間再使用送信を示す前記情報は、前記空間再使用送信が禁止されることを示す、請求項９乃至１１のいずれか一項に記載の方法。
【請求項１３】
空間再使用送信を示す前記情報は４ビットを占有し、前記４ビットの値が１〜１４である場合、空間再使用送信を示す前記情報は判定パラメータを示し、前記判定パラメータは、前記空間再使用送信が行われているとき許容される干渉電力に関連付けられる、請求項９乃至１１のいずれか一項に記載の方法。
【請求項１４】
データ送信方法であって、前記方法は１次リンク及び空間再使用リンクを含む通信システムに適用され、前記１次リンクは１次機器の間に設定され、前記空間再使用リンクは空間再使用送信機器の間に設定され、前記方法は、
前記空間再使用リンクの空間再使用送信機器により、空間再使用送信を示す情報を受信するステップであって、前記情報はＳＩＧ−Ａフィールドで伝達され及び前記１次リンクの時間周波数リソースのうちの全部又は一部を用いて空間再使用送信を実行するよう前記空間再使用リンクの空間再使用送信機器に指示するために使用される、ステップと、
前記空間再使用リンクの空間再使用送信機器により、前記情報に従い空間再使用送信を実行するステップと、
を含む方法。
【請求項１５】
データ送信方法であって、前記方法は１次リンク及び空間再使用リンクを含む通信システムに適用され、前記１次リンクは１次機器の間に設定され、前記空間再使用リンクは空間再使用送信機器の間に設定され、前記方法は、
前記空間再使用リンクの空間再使用送信機器により、トリガフレームを受信するステップであって、前記トリガフレームの負荷情報は空間再使用送信を示す情報を伝達し、前記情報は、前記１次リンクの時間周波数リソースのうちの全部又は一部を用いて空間再使用送信を実行するよう前記空間再使用リンクの空間再使用送信機器に指示するために使用される、ステップと、
前記空間再使用リンクの前記空間再使用送信機器により、前記情報に従い空間再使用送信を実行するステップと、
を含む方法。
【請求項１６】
空間再使用送信を示す前記情報は、前記空間再使用リンクの前記空間再使用送信機器が、前記１次リンクの時間周波数リソースの全部又は一部を使用することを禁止されていることを示すために使用される、又は、
空間再使用送信を示す前記情報は、前記空間再使用リンクの前記空間再使用送信機器が、前記１次リンクの時間周波数リソースの全部又は一部を使用することを許可されていることを示すために使用される、
請求項１４又は１５に記載の方法。
【請求項１７】
空間再使用送信を示す前記情報は４ビットを占有し、前記４ビットの値が０である場合、空間再使用送信を示す前記情報は、前記空間再使用送信が禁止されることを示す、請求項１４乃至１６のいずれか一項に記載の方法。
【請求項１８】
空間再使用送信を示す前記情報は４ビットを占有し、前記４ビットの値が１〜１４である場合、空間再使用送信を示す前記情報は判定パラメータを示し、前記判定パラメータは、前記空間再使用送信が行われているとき許容される干渉電力に関連付けられる、請求項１４乃至１６のいずれか一項に記載の方法。
【請求項１９】
１次機器であって、前記１次機器は１次リンク及び空間再使用リンクを含む通信システムに適用され、前記１次リンクは前記１次機器の間に設定され、前記１次機器は、
空間再使用送信を示す情報を取得するよう構成される取得モジュールであって、前記情報はＳＩＧ−Ａフィールドで伝達され及び前記１次リンクの時間周波数リソースのうちの全部又は一部を用いて空間再使用送信を実行するよう前記空間再使用リンクの空間再使用送信機器に指示するために使用される、取得モジュールと、
前記情報を送信するよう構成される送信モジュールと、
を含む１次機器。
【請求項２０】
前記１次機器は１次アクセスポイントである、請求項１９に記載の１次機器。
【請求項２１】
前記１次機器は１次局である、請求項１９に記載の１次機器。
【請求項２２】
前記情報は、アップリンクデータフレームのＳＩＧ−Ａフィールドで伝達され、前記アップリンクデータフレームは、前記取得モジュールにより生成され、前記送信モジュールにより送信される、請求項２１に記載の１次機器。
【請求項２３】
前記１次局は、１次アクセスポイントにより送信されたトリガフレームを受信する受信モジュールであって、前記トリガフレームの負荷情報は、空間再使用送信を示す前記情報を伝達し、空間再使用送信を示す前記情報は、前記空間再使用リンクの空間再使用送信機器に、前記１次リンクの前記時間周波数リソースのうちの全部又は一部を用いて空間再使用送信を実行するよう指示するために使用される、受信モジュール、を更に含む、請求項２２に記載の１次機器。
【請求項２４】
空間再使用送信を示す前記情報は、前記空間再使用リンクの前記空間再使用送信機器が、前記１次リンクの時間周波数リソースの全部又は一部を使用することを禁止されていることを示すために使用される、又は、
空間再使用送信を示す前記情報は、前記空間再使用リンクの前記空間再使用送信機器が、前記１次リンクの時間周波数リソースの全部又は一部を使用することを許可されていることを示すために使用される、
請求項１９乃至２３のいずれか一項に記載の１次機器。
【請求項２５】
空間再使用送信を示す前記情報は４ビットを占有し、前記４ビットの値が０である場合、空間再使用送信を示す前記情報は、前記空間再使用送信が禁止されることを示す、請求項１９乃至２３のいずれか一項に記載の１次機器。
【請求項２６】
空間再使用送信を示す前記情報は４ビットを占有し、前記４ビットの値が１〜１４である場合、空間再使用送信を示す前記情報は判定パラメータを示し、前記判定パラメータは、前記空間再使用送信が行われているとき許容される干渉電力に関連付けられる、請求項１９乃至２３のいずれか一項に記載の１次機器。
【請求項２７】
１次アクセスポイントであって、前記１次アクセスポイントは１次リンク及び空間再使用リンクを含む通信システムに適用され、前記１次リンクは前記１次アクセスポイントと１次局との間に設定され、前記１次アクセスポイントは、
トリガフレームを生成するよう構成される生成モジュールであって、前記トリガフレームの負荷情報は、空間再使用送信を示す情報を伝達し、前記情報は前記１次リンクの時間周波数リソースのうちの全部又は一部を用いて空間再使用送信を実行するよう前記空間再使用リンクの空間再使用送信機器に指示するために使用される、生成モジュールと、
前記トリガフレームを送信するよう構成される送信モジュールと、
を含む１次アクセスポイント。
【請求項２８】
前記１次アクセスポイントは、
アップリンクデータフレームを受信するよう構成される受信モジュールであって、前記アップリンクデータフレームのＳＩＧ−Ａフィールドは空間再使用送信を示す前記情報を伝達する、受信モジュール、を更に含む請求項２７に記載の１次アクセスポイント。
【請求項２９】
空間再使用送信を示す前記情報は、前記空間再使用リンクの前記空間再使用送信機器が、前記１次リンクの時間周波数リソースの全部又は一部を使用することを禁止されていることを示すために使用される、又は、
空間再使用送信を示す前記情報は、前記空間再使用リンクの前記空間再使用送信機器が、前記１次リンクの時間周波数リソースの全部又は一部を使用することを許可されていることを示すために使用される、
請求項２７又は２８に記載の１次アクセスポイント。
【請求項３０】
空間再使用送信を示す前記情報は４ビットを占有し、前記４ビットの値が０である場合、空間再使用送信を示す前記情報は、前記空間再使用送信が禁止されることを示す、請求項２７乃至２９のいずれか一項に記載の１次アクセスポイント。
【請求項３１】
空間再使用送信を示す前記情報は４ビットを占有し、前記４ビットの値が１〜１４である場合、空間再使用送信を示す前記情報は判定パラメータを示し、前記判定パラメータは、前記空間再使用送信が行われているとき許容される干渉電力に関連付けられる、請求項２７乃至２９のいずれか一項に記載の１次アクセスポイント。
【請求項３２】
空間再使用送信機器であって、前記空間再使用送信機器は、１次リンク及び空間再使用リンクを含む通信システムに適用され、前記空間再使用リンクは空間再使用送信機器の間に設定され、前記空間再使用送信機器は、
空間再使用送信を示す情報を受信するよう構成される受信モジュールであって、前記情報は、ＳＩＧ−Ａフィールドで伝達され、前記空間再使用リンクの前記空間再使用送信機器に、前記１次リンクの時間周波数リソースの全部又は一部を用いて空間再使用送信を実行するよう指示するために使用される、受信モジュールと、
前記情報に従い空間再使用送信を実行するよう構成される処理モジュールと、
を含む空間再使用送信機器。
【請求項３３】
空間再使用送信機器であって、前記空間再使用送信機器は、１次リンク及び空間再使用リンクを含む通信システムに適用され、前記空間再使用リンクは空間再使用送信機器の間に設定され、前記空間再使用送信機器は、
トリガフレームを受信するよう構成される受信モジュールであって、前記トリガフレームの負荷情報は、空間再使用送信を示す情報を伝達し、前記情報は、前記空間再使用リンクの空間再使用送信機器に、前記１次リンクの時間周波数リソースの全部又は一部を用いて空間再使用送信を実行するよう指示するために使用される、受信モジュールと、
空間再使用送信を示す前記情報に従い空間再使用送信を実行するよう構成される処理モジュールと、
を含む空間再使用送信機器。
【請求項３４】
空間再使用送信を示す前記情報は、前記空間再使用リンクの前記空間再使用送信機器が、前記１次リンクの時間周波数リソースの全部又は一部を使用することを禁止されていることを示すために使用される、又は、
空間再使用送信を示す前記情報は、前記空間再使用リンクの前記空間再使用送信機器が、前記１次リンクの時間周波数リソースの全部又は一部を使用することを許可されていることを示すために使用される、
請求項３２乃至３３のいずれか一項に記載の空間再使用送信機器。
【請求項３５】
空間再使用送信を示す前記情報は４ビットを占有し、前記４ビットの値が０である場合、空間再使用送信を示す前記情報は、前記空間再使用送信が禁止されることを示す、請求項３２乃至３４のいずれか一項に記載の空間再使用送信機器。
【請求項３６】
空間再使用送信を示す前記情報は４ビットを占有し、前記４ビットの値が１〜１４である場合、空間再使用送信を示す前記情報は判定パラメータを示し、前記判定パラメータは、前記空間再使用送信が行われているときに許容される干渉電力に関連付けられる、請求項３２乃至３４のいずれか一項に記載の空間再使用送信機器。
【請求項３７】
コンピュータに請求項１乃至８のいずれか一項に記載の方法を実行させるプログラム。
【請求項３８】
コンピュータに請求項９乃至１３のいずれか一項に記載の方法を実行させるプログラム。
【請求項３９】
コンピュータに請求項１４乃至１８のいずれか一項に記載の方法を実行させるプログラム。
【請求項４０】
プログラムが記録されたコンピュータ可読記録媒体であって、前記プログラムは、実行されると、コンピュータに請求項１乃至８のいずれか一項に記載の方法を実行させる、コンピュータ可読記録媒体。
【請求項４１】
プログラムが記録されたコンピュータ可読記録媒体であって、前記プログラムは、実行されると、コンピュータに請求項９乃至１３のいずれか一項に記載の方法を実行させる、コンピュータ可読記録媒体。
【請求項４２】
プログラムが記録されたコンピュータ可読記録媒体であって、前記プログラムは、実行されると、コンピュータに請求項１４乃至１８のいずれか一項に記載の方法を実行させる、コンピュータ可読記録媒体。
【発明の詳細な説明】
【技術分野】
【０００１】
本願は、中国特許出願番号第２０１５１０６８０８０６．４号、２０１５年１０月２０日出願、名称「DATA  TRANSMISSION  METHOD  AND  APPARATUS」の優先権を主張する。該中国特許出願は、参照によりその全体がここに組み込まれる。
【０００２】
［技術分野］
本発明の実施形態は、通信分野に関し、より具体的に、データ送信方法及び機器に関する。
【背景技術】
【０００３】
幾つかのネットワークでは、例えば無線ローカルエリアネットワーク（ＷＬＡＮ）では、データ送信中の衝突により引き起こされる干渉を回避するために、搬送波感知多重アクセス／衝突回避方式（ＣＳＭＡ／ＣＡ）チャネルアクセス・メカニズムが使用される。ＣＳＭＡ／ＣＡメカニズムによると、フレームの送信を終了した後に、各局（ＳＴＡ）は、次のフレームを送信するために、非常に短い時間期間の間、待機する必要がある。この時間期間は、フレーム間ギャップとして参照される。フレーム間ギャップの長さは、局により送信されるべきフレームの種類に依存する。高優先度フレームは比較的短いフレーム間ギャップを有し、低優先度フレームは比較的長いフレーム間ギャップを有する。つまり、高優先度フレームは比較的短い送信待機時間を有し、低優先度フレームは比較的長い待機時間を有する。したがって、低優先度フレームと比べて、高優先度フレームは送信権利を優先的に取得できる。つまり、低優先度フレームが送信されず且つ高優先度フレームが送信され始める場合、つまり、チャネル状態がビジー状態である場合、低優先度フレームは送信されるのを禁止され、高優先度フレームが送信された後に、つまりチャネル状態がアイドル状態となった後に、低優先度フレームの送信が許可される。したがって、衝突を回避するために、１つのＳＴＡのみが、ある時間期間に１つのチャネルを用いて送信を実行する。
【０００４】
通信技術の発展に伴い、集約的シナリオの中でシステムスループットを向上するために、空間再使用（ＳＲ）の概念が導入される。特定のシナリオでは又は特定の条件下では、２以上の局が、送信のために同じ時間周波数リソースを使用する（つまり、同じ時間期間で同じチャネルを使用する）ことが許可される。例えば、図１に示すように、ＳＴＡ１及びＳＴＡ２がアクセスポイント（ＡＰ）ＡＰ１へアップリンクデータを送信するとき（以下では、ＡＰ１とＳＴＡ１との間のリンク、及びＡＰ１とＳＴＡ２との間のリンクは、集合的に１次リンクとして参照される）、ＳＴＡ５は、１次リンクの時間周波数リソースのうちの全部又は一部を用いてアクセスポイントＡＰ２へデータを送信する（以下では、ＡＰ２とＳＴＡ５との間のリンクは空間再使用リンクとして参照される）。空間再使用リンク上のデータ送信は、１次リンクの時間周波数リソースのうちの全部又は一部を占有するので、１つのＳＴＡのみがある時間期間中に１つのチャネルを用いてデータを送信することは、保証できない。したがって、空間再使用の導入は、リンク間の相互干渉を増大し、送信品質に影響を与える。
【０００５】
したがって、１次リンクと空間再使用リンクとの間の干渉を低減し送信品質を向上するために、効果的な干渉制御メカニズムが必要である。
【発明の概要】
【０００６】
本発明は、データ送信中の１次リンクと空間再使用リンクとの間の相互干渉を低減し及び送信品質を向上するために、データ送信方法及び機器を提供する。
【０００７】
第１の態様は、データ送信方法であって、前記方法は、データ送信のための１次リンク及び空間再使用リンクを含む通信システムに適用され、前記１次リンクは１次アクセスポイントと１次局との間に設定され、前記方法は、前記１次アクセスポイントにより、決定パラメータに従い決定処理を実行するステップであって、前記決定処理は、前記空間再使用リンクの再使用送信装置が、データを送信するために前記１次リンクの時間周波数リソースのうちの全部又は一部を使用することを許可されるか否かを決定するために使用される、ステップと、前記１次アクセスポイントにより、前記決定処理の後に得られた決定結果に従い、空間再使用送信シグナリングを生成するステップと、前記１次アクセスポイントにより、前記再使用送信装置が前記空間再使用送信シグナリングに従い、前記空間再使用リンクに基づきデータ送信処理を実行できるように、前記空間再使用送信シグナリングを送信するステップと、を含む方法を提供する。
【０００８】
第１の態様を参照して、第１の態様の第１の実装では、空間再使用送信シグナリングは、再使用送信装置が１次リンクの時間周波数リソースのうちの全部又は一部を使用することを禁止されることを示すために使用される第１空間再使用送信シグナリングを含む、又は、空間再使用送信シグナリングは、再使用送信装置が１次リンクの時間周波数リソースのうちの全部又は一部を使用することを許可されることを示すために使用される第２空間再使用送信シグナリングを含む。
【０００９】
第１の態様及び第１の態様の前述の実装を参照して、第１の態様の第２の実装では、前記１次アクセスポイントにより、前記決定パラメータに従い決定処理を実行する前記ステップは、前記１次アクセスポイントにより、Ｎ個の決定パラメータに従い決定処理を実行するステップであって、前記Ｎ個の決定パラメータは、前記１次リンクのＮ個の送信サブ帯域幅と１対１に対応し、各決定パラメータは、前記再使用送信装置が対応する送信サブ帯域幅を使用することを許可されるか否かを決定するために使用され、Ｎ≧２である、ステップ、を含み、前記１次アクセスポイントにより、前記決定処理の後に得られた決定結果に従い、空間再使用送信シグナリングを生成する前記ステップは、前記１次アクセスポイントにより、前記決定処理の後に得られた前記決定結果に従い、Ｎ個の空間再使用送信シグナリング片を生成するステップであって、前記Ｎ個の空間再使用送信シグナリング片は、前記Ｎ個の送信サブ帯域幅と１対１に対応する、ステップ、を含む。
【００１０】
【００１１】
第１の態様及び第１の態様の前述の実装を参照して、第１の態様の第３の実装では、前記１次アクセスポイントにより、前記空間再使用送信シグナリングを送信する前記ステップは、前記１次局がアップリンクデータフレームを送信するときに前記空間再使用送信シグナリングを前記アップリンクデータフレームに追加し、前記再使用送信装置が前記アップリンクデータフレームから前記空間再使用送信シグナリングを取得できるように、前記１次アクセスポイントにより、前記１次局へ前記空間再使用送信シグナリングを送信するステップ、を含む。
【００１２】
第１の態様及び第１の態様の前述の実装を参照して、第１の態様の第４の実装では、前記決定処理の後に得られた前記結果が、前記再使用送信装置がデータを送信するために前記１次リンクの前記時間周波数リソースのうちの全部又は一部を使用することを許可されることであるとき、前記空間再使用送信シグナリングは電力指示情報を含み、前記電力指示情報は、前記再使用送信装置がデータを送信するために前記１次リンクの前記時間周波数リソースのうちの全部又は一部を使用するときに使用可能な最大送信電力を決定するために、前記再使用送信装置により使用される。
【００１３】
第１の態様及び第１の態様の前述の実装を参照して、第１の態様の第５の実装では、前記１次アクセスポイントにより、決定パラメータに従い決定処理を実行する前記ステップの前に、前記方法は、前記１次アクセスポイントにより、前記１次局により使用される送信パラメータに従い前記決定パラメータを決定するステップであって、前記送信パラメータは、送信電力、変調及び符号化方式ＭＣＳ、及び送信帯域幅を含む、ステップ、を更に含む。
【００１４】
第１の態様及び第１の態様の前述の実装を参照して、第１の態様の第６の実装では、前記決定パラメータは、前記１次アクセスポイントが前記１次局により送信された前記アップリンクデータフレームを受信するときに許容される最大干渉電力である。
【００１５】
第１の態様及び第１の態様の前述の実装を参照して、第１の態様の第７の実装では、前記通信システムは少なくとも２つの１次局を含み、前記１次アクセスポイントにより、前記１次局により使用される送信パラメータに従い前記最大干渉電力を決定する前記ステップは、前記１次アクセスポイントにより、前記少なくとも２つの１次局のうちの全部により使用される送信パラメータに従い、前記１次アクセスポイントが前記少なくとも２つの１次局のうちの全部により送信されたアップリンクデータフレームを受信するときに許容される最大干渉電力密度を決定するステップと、前記１次アクセスポイントにより、前記最大干渉電力密度から最小値を決定するステップと、前記１次アクセスポイントにより、前記最小値に従い、前記最大干渉電力を決定するステップと、を含む。
【００１６】
第１の態様及び第１の態様の前述の実装を参照して、第１の態様の第９の実装では、前記１次アクセスポイントにより、前記少なくとも２つの１次局のうちの全部により使用される送信パラメータに従い、前記１次アクセスポイントが前記少なくとも２つの１次局のうちの全部により送信されたアップリンクデータフレームを受信するときに許容される最大干渉電力密度を決定する前記ステップは、
前記１次アクセスポイントにより、式
【数１】
0006559891.tif 000002
に従い、前記１次アクセスポイントが前記少なくとも２つの１次局の中の局ｋにより送信されるアップリンクデータフレームを受信するときに許容される最大干渉電力密度を決定するステップであって、
ｉｓｄＳＴＡｋは、前記１次アクセスポイントが前記局ｋにより送信された前記アップリンクデータフレームを受信するときに許容される前記最大干渉電力密度を示し、ＰＴｘＳＴＡｋは前記アップリンクデータフレームを送信するために前記局ｋにより使用される送信電力を示し、ＳＩＮＲｒｅｑｕｉｒｅｄＳＴＡｋは、前記１次アクセスポイントが前記局ｋにより送信された前記アップリンクデータフレームを受信するときに必要な最小信号対干渉及び雑音比を示し、ＢＷＳＴＡｋは、前記局ｋが前記アップリンクデータフレームを送信するときに使用される送信帯域幅を示す、ステップを含む。
【００１７】
第１の態様及び第１の態様の前述の実装を参照して、第１の態様の第９の実装では、前記１次アクセスポイントにより、前記最小値に従い前記最大干渉電力を決定する前記ステップは、
式Ｉｍａｘ＿ｌｅｖｅｌ＝ＳＴＡｋｍｉｎ{ｉｓｄＳＴＡｋ}・ＢＷｔｏｔａｌ／Ｒｅｄｕｎｄａｎｃｙに従い、前記１次リンクの送信帯域幅における前記最大干渉電力を決定するステップ、又は、
式Ｉｍｍａｘ＿ｌｅｖｅｌ＝ＳＴＡｋ∈｛ｍthｓｕｂ−ｂａｎｄ｝ｍｉｎ{ｉｓｄＳＴＡｋ}・ＢＷｍ／Ｒｅｄｕｎｄａｎｃｙに従い、前記Ｎ個の送信サブ帯域幅の中のｍ番目のサブ帯域幅における最大干渉電力を決定するステップ、
を含み、Ｉｍａｘ＿ｌｅｖｅｌは最大干渉電力を示し、ＳＴＡｋｍｉｎ{ｉｓｄＳＴＡｋ}は前記最大干渉電力密度から前記１次アクセスポイントにより決定された前記最小値を示し、ＢＷｔｏｔａｌは前記１次リンクの前記送信帯域幅を示し、Ｒｅｄｕｎｄａｎｃｙは前記システム内で予約された冗長性を示し、Ｉｍｍａｘ＿ｌｅｖｅｌは前記ｍ番目のサブ帯域幅における前記最大干渉電力を示し、ＢＷｍは前記Ｎ個の送信サブ帯域幅の中の前記ｍ番目のサブ帯域幅を示し、Ｎ≧２、１≦ｍ≦Ｎである。
【００１８】
第１の態様及び第１の態様の前述の実装を参照して、第１の態様の第１０の実装では、前記１次アクセスポイントにより、前記１次局へ前記空間再使用送信シグナリングを送信する前記ステップは、前記１次アクセスポイントによりトリガフレームを送信するステップであって、前記トリガフレームのシグナリングＡフィールド又は負荷情報は前記空間再使用送信シグナリングを伝達する、ステップを含む。
【００１９】
第２の態様は、データ送信方法であって、前記方法は、１次リンク及び空間再使用リンクがデータ送信のために使用される通信システムに適用され、前記１次リンクは１次アクセスポイントと１次局との間に設定され、前記方法は、前記１次局により、前記１次アクセスポイントにより送信された空間再使用送信シグナリングを受信するステップであって、前記空間再使用送信シグナリングは、前記空間再使用リンクに基づきデータ送信処理を実行するために前記１次リンクの時間周波数リソースのうちの全部又は一部を使用するか否かを決定するために、前記空間再使用リンクの再使用送信装置により使用される、ステップと、前記１次局により、前記１次アクセスポイントへアップリンクデータフレームを送信するステップであって、前記アップリンクデータフレームは前記空間再使用送信シグナリングを伝達する、ステップと、を含む方法を提供する。
【００２０】
第２の態様を参照して、第２の態様の第１の実装では、空間再使用送信シグナリングは、再使用送信装置が１次リンクの時間周波数リソースのうちの全部又は一部を使用することを禁止されることを示すために使用される第１空間再使用送信シグナリングを含む、又は、空間再使用送信シグナリングは、再使用送信装置が１次リンクの時間周波数リソースのうちの全部又は一部を使用することを許可されることを示すために使用される第２空間再使用送信シグナリングを含む。
【００２１】
第２の態様及び第２の態様の前述の実装を参照して、第２の態様の第２の実装では、
Ｎ個の空間再使用送信シグナリング片があり、前記Ｎ個の空間再使用送信シグナリング片は前記１次リンクのＮ個の送信サブ帯域幅と１対１に対応し、各空間再使用送信シグナリング片は前記再使用送信装置が対応する送信サブ帯域幅を使用することを許可されるか否かを決定するために使用され、Ｎ≧２であり、
前記１次局により、前記１次アクセスポイントへアップリンクデータフレームを送信するステップであって、前記アップリンクデータフレームは前記空間再使用送信シグナリングを伝達する、前記ステップは、
前記１次局により、前記Ｎ個の空間再使用送信シグナリング片を前記Ｎ個の送信サブ帯域幅の各々におけるアップリンクデータフレームのシグナリングＡフィールドに追加するステップであって、Ｎ≧２である、ステップ、又は、
前記１次局により、前記Ｎ個の送信サブ帯域幅の中のｍ番目の送信サブ帯域幅上のアップリンクデータフレームのシグナリングＡフィールドに、前記ｍ番目の送信サブ帯域幅に対応するｍ番目の空間再使用送信シグナリング片を追加するステップであって、１≦ｍ≦Ｎであり、ｍ及びＮの両方は正整数である、ステップ、を含む。
【００２２】
第２の態様及び第２の態様の前述の実装を参照して、第２の態様の第３の実装では、前記空間再使用送信シグナリングは電力指示情報を含み、前記電力指示情報は、前記再使用送信装置がデータを送信するために前記１次リンクの前記時間周波数リソースのうちの全部又は一部を使用するときに使用可能な最大送信電力を決定するために、前記再使用送信装置により使用される。
【００２３】
第２の態様及び第２の態様の前述の実装を参照して、第２の態様の第４の実装では、前記空間再使用送信シグナリングは電力指示情報を含み、前記電力指示情報は、前記再使用送信装置がデータを送信するために前記１次リンクの前記時間周波数リソースのうちの全部又は一部を使用するときに使用可能な最大送信電力を決定するために、前記再使用送信装置により使用される。
【００２４】
第２の態様及び第２の態様の前述の実装を参照して、第２の態様の第５の実装では、前記空間再使用送信シグナリングは、決定パラメータに従い前記１次アクセスポイントにより決定され、前記決定パラメータは、前記１次アクセスポイントが前記１次局により送信された前記アップリンクデータフレームを受信するときに許容される最大干渉電力である。
【００２５】
第３の態様は、データ送信方法であって、前記方法は、１次リンク及び空間再使用リンクがデータ送信のために使用される通信システムに適用され、前記１次リンクは１次アクセスポイントと１次局との間に設定され、前記方法は、前記再使用送信装置により、第１空間再使用送信シグナリングを受信するステップであって、前記第１空間再使用送信シグナリングは、前記空間再使用リンクに基づきデータ送信処理を実行するために前記１次リンクの時間周波数リソースのうちの全部又は一部を使用するか否かを決定するために、前記空間再使用リンクの前記再使用送信装置により使用される、ステップと、前記再使用送信装置により、前記空間再使用送信シグナリングに従い、前記空間再使用リンクに基づきデータ送信処理を実行するステップと、を含む方法を提供する。
【００２６】
第３の態様を参照して、第３の態様の第１の実装では、前記空間再使用送信シグナリングは、前記再使用送信装置がデータを送信するために前記１次リンクの前記時間周波数ドメインリソースのうちの全部又は一部を使用することを禁止することを示すために使用される第２空間再使用送信シグナリングを含み、前記再使用送信装置により、前記空間再使用送信シグナリングに従い、前記空間再使用リンクに基づきデータ送信処理を実行する前記ステップは、前記再使用送信装置により、前記第２空間再使用送信シグナリングに従い、データを送信するために前記１次リンクの前記時間周波数リソースの全部又は一部を使用することを断念するステップを含む。
【００２７】
第３の態様及び第３の態様の前述の実装を参照して、第３の態様の第２の実装では、前記空間再使用送信シグナリングは、前記再使用送信装置がデータを送信するために前記１次リンクの前記時間周波数ドメインリソースのうちの全部又は一部を使用することを許可することを示すために使用される第３空間再使用送信シグナリングを含み、前記再使用送信装置により、前記空間再使用送信シグナリングに従い、前記空間再使用リンクに基づきデータ送信処理を実行する前記ステップは、前記再使用送信装置により、前記空間再使用送信シグナリングに従い、前記空間再使用リンクに基づきデータ送信処理を実行するステップを含む。
【００２８】
第３の態様及び第３の態様の前述の実装を参照して、第３の態様の第３の実装では、Ｎ個の空間再使用送信シグナリング片があり、前記Ｎ個の空間再使用送信シグナリング片は、前記１次アクセスポイントがＮ個の第１決定パラメータに従い決定処理を実行した後に得られ、前記Ｎ個の空間再使用送信シグナリング片は、前記１次リンクのＮ個の送信サブ帯域幅と１対１に対応し、各空間再使用送信シグナリング片は、前記再使用送信装置が対応する送信サブ帯域幅を使用することを許可されるか否かを決定するために使用され、Ｎ≧２であり、前記再使用送信装置により、前記空間再使用送信シグナリングに従い、前記空間再使用リンクに基づきデータ送信処理を実行する前記ステップは、前記再使用送信装置により、前記空間再使用送信シグナリングに従い、前記空間再使用リンクに基づきデータ送信処理を実行するステップを含む。
【００２９】
第３の態様及び第３の態様の前述の実装を参照して、第３の態様の第４の実装では、前記決定処理の後に得られた結果が、前記空間再使用リンクの前記再使用送信装置がデータを送信するために前記１次リンクの前記時間周波数リソースのうちの全部又は一部を使用することを許可されることであるとき、前記空間再使用送信シグナリングは電力指示情報を含み、前記再使用送信装置により、前記空間再使用送信シグナリングに従い、前記空間再使用リンクに基づきデータ送信処理を実行する前記ステップは、前記再使用送信装置により、前記電力指示情報に従い、前記再使用送信装置がデータを送信するために前記１次リンクの前記時間周波数リソースのうちの全部又は一部を使用するときに使用可能な最大送信電力を決定するステップと、前記最大送信電力より大きくない送信電力を使用することにより、データを送信するステップと、を含む。
【００３０】
第３の態様及び第３の態様の前述の実装を参照して、第３の態様の第５の実装では、前記空間再使用送信シグナリングは、前記１次アクセスポイントにより第１決定パラメータに従い決定され、前記第１決定パラメータは、前記１次アクセスポイントにより、前記１次局により使用される送信パラメータに従い決定され、前記送信パラメータは、送信電力、変調及び符号化方式ＭＣＳ、及び送信帯域幅を含む。
【００３１】
第３の態様及び第３の態様の前述の実装を参照して、第３の態様の第６の実装では、前記再使用送信装置及び前記１次アクセスポイントは異なる基本サービスセットＢＳＳに属する。
【００３２】
第３の態様及び第３の態様の前述の実装を参照して、第３の態様の第７の実装では、前記再使用送信装置及び前記１次アクセスポイントは同じ基本サービスセットＢＳＳに属し、前記空間再使用リンクは該ＢＳＳの中の局の間のＤ２Ｄ送信のために使用される。
【００３３】
第３の態様及び第３の態様の前述の実装を参照して、第３の態様の第８の実装では、前記再使用送信装置により、前記空間再使用送信シグナリングに従い、前記空間再使用リンクに基づきデータ送信処理を実行する前記ステップは、前記再使用送信装置により、前記Ｄ２Ｄ送信の間に、Ｄ２Ｄ送信指示情報をデータフレームに追加するステップであって、前記Ｄ２Ｄ送信指示情報は、前記再使用送信装置を除く前記ＢＳＳの中のＤ２Ｄ局が該Ｄ２Ｄ送信機会を使用することを禁止するために使用される、ステップを含む。
【００３４】
第３の態様及び第３の態様の前述の実装を参照して、第３の態様の第９の実装では、前記第１決定パラメータは、前記１次アクセスポイントが前記１次局により送信された前記アップリンクデータフレームを受信するときに許容される最大干渉電力である。
【００３５】
第３の態様及び第３の態様の前述の実装を参照して、第３の態様の第１０の実装では、前記空間再使用送信装置により前記第１決定パラメータに従い、前記再使用送信装置がデータを送信するために前記１次リンクの前記時間周波数リソースのうちの全部又は一部を使用するときに使用可能な最大送信電力を決定する前記ステップは、式ＰＴｘＳＲ＿ｍａｘ＝〜Ｉｍａｘ＿ｌｅｖｅｌ・ＬＳＲに従い、前記最大送信電力を決定するステップであって、ＰＴｘＳＲ＿ｍａｘは前記最大送信電力を示し、〜Ｉｍａｘ＿ｌｅｖｅｌは前記最大干渉電力を示し、ＬＳＲは前記再使用送信装置から前記１次アクセスポイントへの送信中の損失を示す、ステップを含む。
【００３６】
第３の態様及び第３の態様の前述の実装を参照して、第３の態様の第１１の実装では、前記通信システムは第三者装置を更に含み、前記方法は、前記再使用送信装置により、第４空間再使用送信シグナリングを生成するステップであって、前記第４空間再使用送信シグナリングは、前記第三者装置がデータを送信するためにこの再使用送信機会を使用することを禁止するために使用される、ステップと、前記第４空間再使用送信シグナリングを受信すると、前記第三者装置がこの再使用送信機会を使用することを断念するように、前記再使用送信装置により、前記データ送信中に前記第４空間再使用送信シグナリングを前記データフレームに追加するステップと、を更に含む。
【００３７】
第４の態様は、データ送信機器であって、前記機器は、データ送信のための１次リンク及び空間再使用リンクを含む通信システムに適用され、前記１次リンクは前記機器と１次局との間に設定され、前記機器は、決定パラメータに従い決定処理を実行するよう構成される判定モジュールであって、前記決定処理は、前記空間再使用リンクの再使用送信装置が、データを送信するために前記１次リンクの時間周波数リソースのうちの全部又は一部を使用することを許可されるか否かを決定するために使用される、判定モジュールと、前記判定モジュールが決定処理を実行した後に得られた決定結果に従い、空間再使用送信シグナリングを生成するよう構成される生成モジュールと、前記再使用送信装置が、前記空間再使用送信シグナリングに従い、前記空間再使用リンクに基づきデータ送信処理を実行できるように、前記生成モジュールにより生成された前記空間再使用送信シグナリングを送信するよう構成される送信モジュールと、を含む機器を提供する。
【００３８】
第４の態様を参照して、第４の態様の第１の実装では、前記生成モジュールは、前記再使用送信装置がデータを送信するために前記１次リンクの前記時間周波数リソースのうちの全部又は一部を使用することを禁止されることを示すために使用される第１空間再使用送信シグナリングを生成する、又は、前記再使用送信装置がデータを送信するために前記１次リンクの前記時間周波数リソースのうちの全部又は一部を使用することを許可されることを示すために使用される第２空間再使用送信シグナリングを生成する、よう更に構成される。
【００３９】
第４の態様及び第４の態様の前述の実装を参照して、第４の態様の第２の実装では、前記判定モジュールは、Ｎ個の決定パラメータに従い決定処理を実行するよう更に構成され、前記Ｎ個の決定パラメータは、前記１次リンクのＮ個の送信サブ帯域幅と１対１に対応し、各決定パラメータは、前記再使用送信装置が対応する送信サブ帯域幅を使用することを許可されるか否かを決定するために使用され、Ｎ≧２であり、前記生成モジュールは、前記決定処理の後に得られた前記決定結果に従い、Ｎ個の空間再使用送信シグナリング片を生成するよう更に構成され、前記Ｎ個の空間再使用送信シグナリング片は前記Ｎ個の送信サブ帯域幅と１対１に対応する。
【００４０】
第４の態様及び第４の態様の前述の実装を参照して、第４の態様の第３の実装では、前記１次局がアップリンクデータフレームを送信するときに前記空間再使用送信シグナリングを前記アップリンクデータフレームに追加し、及び前記再使用送信装置が前記アップリンクデータフレームから前記空間再使用送信シグナリングを取得できるように、前記送信モジュールは、前記１次局へ前記空間再使用送信シグナリングを送信するよう更に構成される。
【００４１】
第４の態様及び第４の態様の前述の実装を参照して、第４の態様の第４の実装では、前記生成モジュールは、前記決定処理の後に得られた前記結果が、前記再使用送信装置がデータを送信するために前記１次リンクの前記時間周波数リソースのうちの全部又は一部を使用することを許可されることであるとき、電力指示情報を含む前記空間再使用送信シグナリングを生成するよう更に構成され、前記電力指示情報は、前記再使用送信装置がデータを送信するために前記１次リンクの前記時間周波数リソースのうちの全部又は一部を使用するときに使用可能な最大送信電力を決定するために、前記再使用送信装置により使用される。
【００４２】
第４の態様及び第４の態様の前述の実装を参照して、第４の態様の第５の実装では、前記機器は、決定モジュールを更に含み、前記決定モジュールは、前記判定モジュールが決定処理を実行する前に、前記１次局により使用される送信パラメータに従い前記決定パラメータを決定するよう構成され、前記送信パラメータは、送信電力、変調及び符号化方式ＭＣＳ、及び送信帯域幅を含む。
【００４３】
第４の態様及び第４の態様の前述の実装を参照して、第４の態様の第６の実装では、前記決定パラメータは、前記機器が前記１次局により送信された前記アップリンクデータフレームを受信するときに許容される最大干渉電力である。
【００４４】
第４の態様及び第４の態様の前述の実装を参照して、第４の態様の第７の実装では、前記通信システムは少なくとも２つの１次局を含み、前記決定モジュールは、前記機器が、前記少なくとも２つの１次局のうちの全部により送信されたアップリンクデータフレームを受信するときに許容される最大干渉電力密度を決定し、前記最大干渉電力密度から最小値を決定し、前記最小値に従い、前記最大干渉電力を決定する、よう更に構成される。
【００４５】
第４の態様及び第４の態様の前述の実装を参照して、第４の態様の第８の実装では、前記決定モジュールは、式
【数２】
0006559891.tif 000003
に従い、前記少なくとも２つの１次局の中の局ｋにより送信されたアップリンクデータフレームが受信されるときに許容される最大干渉電力密度を決定するよう更に構成され、ｉｓｄＳＴＡｋは、前記機器が前記局ｋにより送信された前記アップリンクデータフレームを受信するときに許容される前記最大干渉電力密度を示し、ＰＴｘＳＴＡｋは前記アップリンクデータフレームを送信するために前記局ｋにより使用される送信電力を示し、ＳＩＮＲｒｅｑｕｉｒｅｄＳＴＡｋは、前記機器が前記局ｋにより送信された前記アップリンクデータフレームを受信するときに要求される最小信号対干渉及び雑音比を示し、ＢＷＳＴＡｋは、前記局ｋが前記アップリンクデータフレームを送信するときに使用される送信帯域幅を示す。
【００４６】
第４の態様及び第４の態様の前述の実装を参照して、第４の態様の第９の実装では、前記決定モジュールは、式Ｉｍａｘ＿ｌｅｖｅｌ＝ＳＴＡｋｍｉｎ{ｉｓｄＳＴＡｋ}・ＢＷｔｏｔａｌ／Ｒｅｄｕｎｄａｎｃｙに従い、前記１次リンクの送信帯域幅における前記最大干渉電力を決定する、又は、式Ｉｍｍａｘ＿ｌｅｖｅｌ＝ＳＴＡｋ∈｛ｍthｓｕｂ−ｂａｎｄ｝ｍｉｎ{ｉｓｄＳＴＡｋ}・ＢＷｍ／Ｒｅｄｕｎｄａｎｃｙに従い、前記Ｎ個の送信サブ帯域幅の中のｍ番目のサブ帯域幅における最大干渉電力を決定し、Ｉｍａｘ＿ｌｅｖｅｌは前記最大干渉電力を示し、ＳＴＡｋｍｉｎ{ｉｓｄＳＴＡｋ}は前記最大干渉電力密度から前記機器により決定された前記最小値を示し、ＢＷｔｏｔａｌは前記１次リンクの前記送信帯域幅を示し、Ｒｅｄｕｎｄａｎｃｙは前記システム内で予約された冗長性を示し、Ｉｍｍａｘ＿ｌｅｖｅｌは前記ｍ番目のサブ帯域幅における前記最大干渉電力を示し、ＢＷｍは前記Ｎ個の送信サブ帯域幅の中の前記ｍ番目のサブ帯域幅を示し、Ｎ≧２、１≦ｍ≦Ｎであり、ｍ及びＮの両者は正整数である。
【００４７】
第４の態様及び第４の態様の前述の実装を参照して、第４の態様の第１０の実装では、前記送信モジュールは、前記１次局へトリガフレームを送信するよう更に構成され、前記トリガフレームのシグナリングＡフィールド又は負荷情報は、前記空間再使用送信シグナリングを伝達する。
【００４８】
第５の態様は、データ送信機器であって、前記機器は、データ送信のための１次リンク及び空間再使用リンクを含む通信システムに適用され、前記１次リンクは前記機器と１次アクセスポイントとの間に設定され、前記機器は、前記１次アクセスポイントにより送信された空間再使用送信シグナリングを受信するよう構成される受信モジュールであって、前記空間再使用送信シグナリングは、前記空間再使用リンクに基づきデータ送信処理を実行するために前記１次リンクの時間周波数リソースのうちの全部又は一部を使用するか否かを決定するために、前記空間再使用リンクの再使用送信装置により使用される、受信モジュールと、前記１次アクセスポイントへアップリンクデータフレームを送信するよう構成される送信モジュールであって、前記アップリンクデータフレームは前記空間再使用送信シグナリングを伝達する、送信モジュールと、を含む機器を提供する。
【００４９】
第５の態様を参照して、第５の態様の第１の実装では、空間再使用送信シグナリングは、再使用送信装置がデータを送信するために１次リンクの時間周波数リソースのうちの全部又は一部を使用することを禁止されることを示すために使用される第１空間再使用送信シグナリングを含む、又は、空間再使用送信シグナリングは、再使用送信装置がデータを送信するために１次リンクの時間周波数リソースのうちの全部又は一部を使用することを許可されることを示すために使用される第２空間再使用送信シグナリングを含む。
【００５０】
第５の態様及び第５の態様の前述の実装を参照して、第５の態様の第２の実装では、Ｎ個の空間再使用送信シグナリング片があり、前記Ｎ個の空間再使用送信シグナリング片は、前記１次リンクのＮ個の送信サブ帯域幅と１対１に対応し、各空間再使用送信シグナリング片は、前記再使用送信装置が対応する送信サブ帯域幅を使用することを許可されるか否かを決定するために使用され、Ｎ≧２であり、前記Ｎ個の空間再使用送信シグナリング片は、前記Ｎ個のサブ帯域幅の各々におけるアップリンクデータフレームのシグナリングＡフィールドに追加され、Ｎ≧２である、又は、ｍ番目の送信サブ帯域幅に対応するｍ番目の空間再使用送信シグナリング片は、前記Ｎ個の送信サブ帯域幅の中の前記ｍ番目の送信サブ帯域幅におけるアップリンクデータフレームのシグナリングＡフィールドに追加され、ｍ≧１である。
【００５１】
第５の態様及び第５の態様の前述の実装を参照して、第５の態様の第３の実装では、前記空間再使用送信シグナリングは電力指示情報を含み、前記電力指示情報は、前記再使用送信装置がデータを送信するために前記１次リンクの前記時間周波数リソースのうちの全部又は一部を使用するときに使用可能な最大送信電力を決定するために、前記再使用送信装置により使用される。
【００５２】
第５の態様及び第５の態様の前述の実装を参照して、第５の態様の第４の実装では、前記空間再使用送信シグナリングは、決定パラメータに従い前記１次アクセスポイントにより決定され、前記決定パラメータは、前記１次アクセスポイントが前記機器により送信された前記アップリンクデータフレームを受信するときに許容される最大干渉電力である。
【００５３】
第６の態様は、データ送信機器であって、前記機器は、データ送信のための１次リンク及び空間再使用リンクを含む通信システムに適用され、前記１次リンクは１次アクセスポイントと１次局との間に設定され、前記機器は、第１空間再使用送信シグナリングを受信するよう構成される受信モジュールであって、前記第１空間再使用送信シグナリングは、前記空間再使用リンクに基づきデータ送信処理を実行するために前記１次リンクの時間周波数リソースのうちの全部又は一部を使用するか否かを決定するために、前記空間再使用リンクの機器により使用される、受信モジュールと、受信モジュールにより受信された前記空間再使用送信シグナリングに従い、前記空間再使用リンクに基づきデータ送信処理を実行するよう構成される処理モジュールと、を含む機器を提供する。
【００５４】
第６の態様を参照して、第６の態様の第１の実装では、空間再使用送信シグナリングが、機器がデータを送信するために１次リンクの時間周波数ドメインリソースのうちの全部又は一部を使用することを禁止するために使用される第２空間再使用送信シグナリングを含むとき、処理モジュールは、第２空間再使用送信シグナリングに従い、データを送信するために１次リンクの時間周波数リソースのうちの全部又は一部を使用することを断念するよう更に構成される。
【００５５】
第６の態様及び第６の態様の前述の実装を参照して、第６の態様の第２の実装では、前記空間再使用送信シグナリングが、機器がデータを送信するために１次リンクの時間周波数ドメインリソースのうちの全部又は一部を使用することを許可するために使用される第３空間再使用送信シグナリングを含むとき、処理モジュールは、第３空間再使用送信シグナリングに従い、空間再使用リンクに基づきデータ送信処理を実行するよう更に構成される。
【００５６】
第６の態様及び第６の態様の前述の実装を参照して、第６の態様の第３の実装では、Ｎ個の空間再使用送信シグナリング片があり、前記Ｎ個の空間再使用送信シグナリング片は、前記１次リンクのＮ個の送信サブ帯域幅と１対１に対応し、各空間再使用送信シグナリング片は、前記機器が対応する送信サブ帯域幅を使用することを許可されるか否かを決定するために使用され、Ｎ≧２であり、前記処理モジュールは、前記Ｎ個の空間再使用送信シグナリング片に従い、前記空間再使用リンクに基づきデータ送信処理を実行するよう更に構成される。
【００５７】
第６の態様及び第６の態様の前述の実装を参照して、第６の態様の第４の実装では、前記機器は、前記空間再使用送信シグナリングが電力指示情報を含むとき、前記電力指示情報に従い、前記機器がデータを送信するために前記１次リンクの前記時間周波数リソースのうちの全部又は一部を使用するときに使用可能な最大送信電力を決定するよう構成される決定モジュールを更に含み、前記機器は送信モジュールを更に含み、前記送信モジュールは、前記最大送信電力より大きくない送信電力を用いてデータを送信するよう更に構成される。
【００５８】
第６の態様及び第６の態様の前述の実装を参照して、第６の態様の第５の実装では、前記空間再使用送信シグナリングは、前記１次アクセスポイントにより第１決定パラメータに従い決定され、前記第１決定パラメータは、前記１次アクセスポイントにより、前記１次局により使用される送信パラメータに従い決定され、前記送信パラメータは、送信電力、変調及び符号化方式ＭＣＳ、及び送信帯域幅を含む。
【００５９】
第６の態様及び第６の態様の前述の実装を参照して、第６の態様の第６の実装では、前記機器及び前記１次アクセスポイントは異なる基本サービスセットＢＳＳに属する。
【００６０】
第６の態様及び第６の態様の前述の実装を参照して、第６の態様の第７の実装では、前記機器及び前記１次アクセスポイントは同じ基本サービスセットＢＳＳに属し、前記空間再使用リンクは該ＢＳＳの中の局の間のＤ２Ｄ送信のために使用される。
【００６１】
第６の態様及び第６の態様の前述の実装を参照して、第６の態様の第８の実装では、前記処理モジュールは、前記Ｄ２Ｄ送信の間に、データフレームにＤ２Ｄ送信指示情報を追加するよう更に構成され、前記Ｄ２Ｄ送信指示情報は、前記機器を除く前記ＢＳＳの中のＤ２Ｄ局がこのＤ２Ｄ送信機会を使用することを禁止するために使用される。
【００６２】
第６の態様及び第６の態様の前述の実装を参照して、第６の態様の第９の実装では、前記第１決定パラメータは、前記機器が前記１次局により送信されたアップリンクデータフレームを受信するときに許容される最大干渉電力である。
【００６３】
第６の態様及び第６の態様の前述の実装を参照して、第６の態様の第１０の実装では、前記決定モジュールは、式ＰＴｘＳＲ＿ｍａｘ＝〜Ｉｍａｘ＿ｌｅｖｅｌ・ＬＳＲに従い、前記最大送信電力を決定するよう更に構成され、ここで、ＰＴｘＳＲ＿ｍａｘは最大送信電力を示し、〜Ｉｍａｘ＿ｌｅｖｅｌは前記最大干渉電力を示し、ＬＳＲは前記機器から前記１次アクセスポイントへの送信中の損失を示す。
【００６４】
第６の態様及び第６の態様の前述の実装を参照して、第６の態様の第１１の実装では、前記通信システムは第三者装置を更に含み、前記機器は、生成モジュールを更に含み、前記生成モジュールは、第４空間再使用送信シグナリングを生成するよう構成され、前記第４空間再使用送信シグナリングは、前記第三者装置がこの再使用送信機会を使用することを禁止するために使用され、前記第４空間再使用送信シグナリングを受信すると、前記第三者装置がこの再使用送信機会を使用することを断念するように、前記処理モジュールは、前記データ送信中に前記第４空間再使用送信シグナリングを前記データフレームに追加するよう更に構成される。
【００６５】
前述の技術的ソリューションに基づき、本発明の本実施形態におけるデータ送信方法及び機器によると、１次アクセスポイントは、決定パラメータを使用することにより、空間再使用リンクの機器がデータを送信するために１次リンクの時間周波数リソースのうちの全部又は一部を使用することを許可されるか否かを決定し、決定処理の後に得られた決定結果に対応する空間再使用送信シグナリングを生成して、空間再使用送信シグナリングを得た後に機器が空間再使用リンクに基づきデータ送信処理を実行できるようにする。したがって、１次リンクと空間再使用リンクとの間の相互干渉が低減でき、送信品質は向上され得る。
【図面の簡単な説明】
【００６６】
本発明の実施形態の技術的解決策をより明確に記載するために、本発明の実施形態を説明するのに必要な添付の図面を以下に簡単に説明する。明らかなことに、以下の説明中の添付の図面は、本発明のほんの一部の実施形態であり、これらの図面に従って当業者により創造的労力を有しないで他の図面も得られる。
【００６７】
【図１】本発明の一実施形態によるデータ送信方法に適用可能な通信システムの概略図である。
【００６８】
【図２】本発明の一実施形態によるデータ送信方法の概略フローチャートである。
【００６９】
【図３】本発明の一実施形態による帯域幅割り当ての概略図である。
【００７０】
【図４】本発明の別の実施形態による帯域幅割り当ての概略図である。
【００７１】
【図５】本発明の別の実施形態によるデータ送信方法の概略フローチャートである。
【００７２】
【図６】本発明の一実施形態による空間再使用送信シグナリングのフォーマットの概略図である。
【００７３】
【図７】本発明の更に別の実施形態によるデータ送信方法の概略フローチャートである。
【００７４】
【図８】本発明の一実施形態によるデータ送信機器の概略ブロック図である。
【００７５】
【図９】本発明の別の実施形態によるデータ送信機器の概略ブロック図である。
【００７６】
【図１０】本発明の更に別の実施形態によるデータ送信機器の概略ブロック図である。
【００７７】
【図１１】本発明の一実施形態によるデータ送信装置の概略構造図である。
【００７８】
【図１２】本発明の別の実施形態によるデータ送信装置の概略構造図である。
【００７９】
【図１３】本発明の更に別の実施形態によるデータ送信装置の概略構造図である。
【発明を実施するための形態】
【００８０】
以下に、本発明の実施形態の添付の図面を参照して、本発明の実施形態における技術的解決策を明確に説明する。明らかに、記載される実施形態は、本発明の実施形態の一部であり、全ての実施形態ではない。本発明の実施形態に基づき創造的労力を有しないで当業者により得られる全ての他の実施形態は、本発明の保護範囲に包含される。
【００８１】
本発明の技術的ソリューションは、それぞれデータ送信のために１次リンク及び空間再使用リンクを含む種々の通信システム、例えば無線ローカルエリアネットワーク（ＷＬＡＮ）システム、及び８０２．１１ａ、８０２．１１ｂ、８０２．１１ｇ、８０２．１１ｎ、８０２．１１ａｃにより表される無線フィデリティ（Ｗｉ−Ｆｉ）システムに適用されて良く、次世代Ｗｉ−Ｆｉシステム、次世代無線ローカルエリアネットワークシステム、等にも適用されて良い。
【００８２】
相応して、再使用送信装置は、ＷＬＡＮにおけるユーザ局（ＳＴＡ）であって良い。端末装置は、システム、ユーザユニット、アクセス端末、移動局、リモート局、リモート端末、モバイル装置、ユーザ端末、端末、無線通信装置、ユーザエージェント、ユーザ機器、ユーザ機器（ＵＥ）としても参照される場合がある。ＳＴＡは、携帯電話機、コードレス電話機、セッション開始プロトコル（ＳＩＰ）電話機、無線ローカルループ（ＷＬＬ）局、パーソナルデジタルアシスタント（ＰＤＡ）、無線ローカルエリアネットワーク（例えばＷｉ−Ｆｉ）通信機能を有するハンドヘルド装置、コンピューティング装置、又は無線モデムに接続された別の処理装置であって良い。
【００８３】
さらに、再使用送信装置は、ＷＬＡＮにおけるＡＰであって良い。ＡＰは、無線ローカルエリアネットワークを用いてＵＥと通信し、ＵＥのデータをネットワーク側へ送信し、又はネットワーク側からのデータをＵＥへ送信するよう構成されて良い。
【００８４】
理解及び説明を容易にするために、限定ではなく一例として、以下は、本発明のデータ送信方法及び機器の、ＷＬＡＮシステムにおける実行プロセス及び実行動作を記載する。
【００８５】
図１は、本発明の一実施形態の適用シナリオの概略図である。図１に示すように、ＳＴＡ１及びＳＴＡ２がアクセスポイントＡＰ１へアップリンクデータを送信するとき（以下では、ＡＰ１とＳＴＡ１との間のリンク、及びＡＰ１とＳＴＡ２との間のリンクは、集合的に１次リンクとして参照される）、ＳＴＡ５は、１次リンクの時間周波数リソースのうちの全部又は一部を用いてアクセスポイントＡＰ２へデータを送信する（以下では、ＡＰ２とＳＴＡ５との間のリンクは空間再使用リンクとして参照される）。直交周波数分割多重アクセス（英語：Orthogonal  Frequency  Division  Multiple  Access、略してＯＦＤＭＡ）は、１１ａｘ標準に導入されている。したがって、１次リンクがダウンリンクであるとき、受信局は、１次リンクの基本サービスセット（英語：、略してＢＳＳ）の中の複数の局であって良い。複数の局の位置は空間再使用リンクの局には分からないので、幾つかの局が空間再使用リンクの局に比較的近い場合、リンク間の相互干渉が増大する。１次リンクの送信品質が影響されないことを保証するために、１次リンクの受信局に対して空間再使用リンクにより引き起こされる干渉は、１次リンクが耐えられる最大干渉を超過することができない。
【００８６】
理解されるべきことに、１次リンクがアップリンクであるとき、このときにＡＰ１によりスケジューリングされる局の数に拘わらず、受信局はＡＰ１のみであり得る。この場合、空間再使用リンクは、ＡＰ１にのみ干渉を引き起こし得る。したがって、このシナリオは、空間再使用送信により適する。しかしながら、本発明の実施形態におけるデータ送信方法は、１次リンクがダウンリンクであるシナリオにも適用可能である。
【００８７】
理解されるべきことに、図１の適用シナリオのみが、本発明の実施形態を説明するための例として使用される。しかしながら、本発明の実施形態はこれに限定されない。例えば、ＡＰ２の属する基本サービスセットＢＳＳ２は、より多くの局を含んで良く、ＢＳＳ１は１個の局のみを含んで良い。別の例として、ＢＳＳ１に加えて、通信システムの１次リンクは、より多くのＢＳＳを更に含んで良い。更に別の例では、空間再使用リンクは、アップリンク送信のために使用されることに限定されず、ダウンリンク送信のために更に使用されて良い。
【００８８】
更に理解されるべきことに、従来技術では、２つの通信ノードの間の経路はリンクとして参照される。本発明の実施形態では、アップリンク送信のために更に使用されるリンクは、集合的に１次リンクとして参照される。したがって、１つの１次リンクが存在して良く、又は複数の１次リンクが存在して良い。相応して、１次リンクにより空間再使用送信を実行するためのリンクは、集合的に空間再使用リンクとして参照される。したがって、１つの空間再使用リンクのみが存在して良く、又は複数の空間再使用リンクが存在して良い。
【００８９】
更に理解されるべきことに、本発明の実施形態では、説明の容易さのために、１次リンクのアクセスポイント及び局は、それぞれ１次アクセスポイント及び１次局として参照される。
【００９０】
さらに、本発明の実施形態では、空間再使用リンクは、アップリンクであって良く、又はダウンリンクであって良い。つまり、空間再使用リンクのアクセスポイント及び局の両方は、データを送信するために空間再使用リンクを使用できる。したがって、本発明の実施形態では、空間再使用リンクのアクセスポイント及び局は、集合的に再使用送信装置として参照される。
【００９１】
図２〜図７を参照して、以下は、限定ではなく一例として、１次リンクがアップリンクであるケースを使用して、本発明の実施形態におけるデータ送信方法を詳細に記載する。
【００９２】
図２は、本発明の一実施形態における１次アクセスポイントの観点から記載されるデータ送信方法１００の概略フローチャートである。図２に示すように、方法１００は以下のステップを含む。
【００９３】
Ｓ１１１。１次アクセスポイントは、決定パラメータに従い決定処理を実行する。ここで、決定処理は、空間再使用リンクの再使用送信装置が、データを送信するために１次リンクの時間周波数リソースの全部又は一部を使用することを許可されるか否かを決定するために使用される。
【００９４】
Ｓ１２０。１次アクセスポイントは、決定処理の後に得られた決定結果に従い、空間再使用送信シグナリングを生成する。
【００９５】
Ｓ１３０。再使用送信装置が、空間再使用送信シグナリングに従い、空間再使用リンクに基づきデータ送信処理を実行できるように、１次アクセスポイントは、空間再使用送信シグナリングを送信する。
【００９６】
本発明の本実施形態では、１次アクセスポイントは、先ず、決定パラメータに従い決定処理を実行して、空間再使用リンクの再使用送信装置がデータを送信するために１次リンクの時間周波数リソースの全部又は一部を使用することを許可され得るか否か、及び１次アクセスポイントがアップリンクデータを受信する処理に対して空間再使用リンク上のデータ送信により引き起こされる干渉が許容範囲内に含まれるか否か、を決定する。次に、１次アクセスポイントは、決定処理の後に得られた決定結果に従い、決定結果に対応する空間再使用送信シグナリングを生成する。最後に、空間再使用送信シグナリングを取得した後に、１次リンク上のデータ送信に対して引き起こされる干渉を回避するために、再使用送信装置が空間再使用リンクに基づきデータ送信処理を実行できるように、１次アクセスポイントは、空間再使用送信シグナリングを送信する。
【００９７】
具体的に、Ｓ１１０において１次アクセスポイントが決定パラメータに従い決定処理を実行することは、１次アクセスポイントが、履歴情報に従い判定を直接実行することであって良く（つまり、方法１）、又は、１次アクセスポイントが、１次リンクに関連する情報に従い決定パラメータを決定し、次に、決定した決定パラメータに従い決定処理を実行することであって良い（つまり、方法２）。
【００９８】
方法１
【００９９】
１次アクセスポイントは、干渉電力を使用することにより周辺ＢＳＳの送信が１次アクセスポイントに干渉を引き起こす該干渉電力に関し且つ時間期間（例えば現在時刻の前のＴ秒間）内にリッスンすることにより得られる統計を収集し、次に、閾（又は範囲）と、統計収集の後に得られる最大干渉電力値（又は平均干渉電力値、又は特定確率より低い確率で生じる干渉電力値）を比較する。最大干渉電力値が閾より大きい又は範囲を超える場合、再使用送信は今回は許可されない、その他の場合、再使用送信は今回は許可される。
【０１００】
理解を容易にするために、限定ではなく一例として、１次リンクが２０ＭＨｚ送信帯域幅を有する例が説明のために使用される。例えば、１次アクセスポイントは、干渉電力を使用することにより周辺ＢＳＳの送信が１次アクセスポイントに干渉を引き起こす該干渉電力に関し且つ時間期間（例えば現在時刻の前のＴ秒間）内に２０ＭＨｚ送信帯域幅上でリッスンすることにより得られる統計を収集し、次に、閾（又は範囲）と、統計収集の後に得られる最大干渉電力値（又は平均干渉電力値、又は特定確率より低い確率で生じる干渉電力値）を比較して良い。最大干渉電力値が閾より大きい又は範囲を超える場合、データ送信の再使用送信は今回は許可されない、その他の場合、データ送信の再使用送信は今回は許可される。
【０１０１】
方法２
【０１０２】
１次アクセスポイントは、１次局が今回のアップリンク送信でアップリンクデータフレームを送信するときに使用された送信パラメータに従い、決定パラメータを決定し、次に、決定パラメータに従い決定処理を実行する。
【０１０３】
方法２では、１次局は１次アクセスポイントによりスケジューリングされるので、１次アクセスポイントは、１次局がアップリンクデータフレームを送信するときに使用された関連パラメータを取得できる。例えば、１次アクセスポイントは、送信電力、１次局がアップリンクデータフレームを送信するときに使用される送信電力、及び変調及び符号化方式（英語：Modulation  and  Coding  Scheme、略してＭＣＳ）のような１次局の情報を取得できる。１次アクセスポイントは、これらの送信パラメータに従う計算により、１次アクセスポイントが１次局により送信されたアップリンクデータフレームを受信するときに許容される最大干渉電力を取得し、再使用送信装置の再使用送信が許可され得るか否かを決定するために、該最大干渉電力を決定処理のための決定パラメータとして使用して良い。例えば、最大干渉電力がプリセット閾より大きいとき、再使用送信は許可され、又は、最大干渉電力がプリセット閾より小さいとき、再使用送信は禁止される。
【０１０４】
例えば、１次アクセスポイントは、２０ＭＨｚ送信帯域幅でアップリンクデータフレームを送信するようスケジューリングされた１次局により使用される送信パラメータに従い、１次アクセスポイントが１次局により送信されたアップリンクデータフレームを２０ＭＨｚ送信帯域幅で受信するときに許容される最大干渉電力を決定して良い。図３に示すように、１次リンクで、１次アクセスポイントＡＰ１は、アップリンク送信を実行するために１次局、つまりＳＴＡ１、ＳＴＡ６、ＳＴＡ７、及びＳＴＡ８をスケジューリングする。局ＳＴＡ１はＢＷＳＴＡｋ１の送信帯域幅を使用し、局ＳＴＡ７はＢＷＳＴＡｋ７の送信帯域幅を使用し、局ＳＴＡ６及びＳＴＡ８はＢＷＳＴＡｋ６／ＢＷＳＴＡｋ８の同じ送信帯域幅を使用する。本例では、１次アクセスポイントＡＰ１は、２０ＭＨｚに基づき、及び１次局、つまりＳＴＡ１、ＳＴＡ６、ＳＴＡ７、及びＳＴＡ８により使用される送信パラメータに従い、最大干渉電力を計算して良い。
【０１０５】
追加で、１次アクセスポイントは、さらに、１次局により使用されるＭＣＳに従い決定処理を直接実行して良い。
【０１０６】
例えば、１次局により使用されるＭＣＳのインデックスが５以上である場合、再使用送信装置の再使用送信は許可され、１次局により使用されるＭＣＳのインデックスが５未満である場合、再使用送信装置の再使用送信は禁止される。
【０１０７】
理解されるべきことに、ＭＣＳのインデックスが５である例のみが、説明のために使用される。本発明の本実施形態はこれに限定されない。例えば、ＭＣＳのインデックスが３以上である場合、再使用送信は許可され、ＭＣＳのインデックスが３未満である場合、再使用送信は禁止される。追加で、ＭＣＳのインデックスはプリセット閾と更に比較されて良い。
【０１０８】
任意で、１次アクセスポイントが決定パラメータに従い決定処理を実行することは、
１次アクセスポイントにより、Ｎ個の決定パラメータに従い決定処理を実行するステップを含み、ここでＮ個の決定パラメータは、１次リンクのＮ個の送信サブ帯域幅と１対１に対応し、各決定パラメータは、再使用送信装置が対応する送信サブ帯域幅を使用することを許可されるか否かを決定するために使用され、Ｎ≧２である。
【０１０９】
相応して、本例では、１次アクセスポイントは、Ｎ個の空間再使用送信シグナリング片を生成する。以下に、特定の処理がＳ１２０において詳述される。
【０１１０】
具体的に、決定処理を実行するとき、１次アクセスポイントは、１次リンクの送信帯域幅全体に従い決定処理を実行して良く、又は、送信帯域幅全体を複数の送信サブ帯域幅に分割して、別個の決定処理を実行して良い。各送信サブ帯域幅について、送信サブ帯域幅は、決定処理のためにもっと小さなサブ帯域幅に更に分割されて良い。理解を容易にするために、１次リンクが４０ＭＨｚ送信帯域幅を有する例が説明のために使用される。
【０１１１】
例えば、１次アクセスポイントは、４０ＭＨｚ帯域幅を２つの２０ＭＨｚサブ帯域幅に分割して良い。次に、１次アクセスポイントは、干渉電力を使用することにより周辺ＢＳＳの送信が１次アクセスポイントに干渉を引き起こす該干渉電力に関し且つ時間期間（例えば現在時刻の前のＴ秒間）内に２個の２０ＭＨｚサブ帯域幅の各々でリッスンすることにより得られる統計を収集し、次に、閾（又は範囲）と、各２０ＭＨｚサブ帯域幅での統計収集の後に得られる最大干渉電力値（又は平均干渉電力値、又は特定確率より低い確率で生じる干渉電力値）を比較して、再使用送信装置の再使用送信が２個の２０ＭＨｚサブ帯域幅上で許可されるか否かを決定して良い。
【０１１２】
相応して、再使用送信装置は、２個の空間再使用送信シグナリング片を受信する。例えば、第１空間再使用送信シグナリング片は、再使用送信が第１の２０ＭＨｚサブ帯域幅上で禁止されることを示し、第２空間再使用送信シグナリング片は、再使用送信が第２の２０ＭＨｚサブ帯域幅上で許可されることを示す。再使用送信の間に再使用送信装置により使用される帯域幅が第１の２０ＭＨｚサブ帯域幅である場合、再使用送信装置は、この再使用送信機会を使用できない。しかしながら、再使用送信の間に再使用送信装置により使用される帯域幅が第２の２０ＭＨｚサブ帯域幅、又は第２の２０ＭＨｚサブ帯域幅の一部である場合、再使用送信装置は、この再使用送信機会を使用できる。
【０１１３】
別の例では、１次アクセスポイントは、先ず、Ｎ個の決定パラメータを決定し、次に、Ｎ個の決定パラメータに従い決定処理を実行する。例えば、図４に示すように、１次アクセスポイントは、４０ＭＨｚ送信帯域幅を２個の２０ＭＨｚサブ帯域幅に分割し、次に、１次アクセスポイントは、２個の２０ＭＨｚ帯域幅のサブ帯域幅の各々について決定パラメータを計算する。第１の２０ＭＨｚ帯域幅について決定パラメータを計算するとき、１次アクセスポイントは、第１の２０ＭＨｚサブ帯域幅に基づき、及び第１の２０ＭＨｚ帯域幅でアップリンクデータを送信する１次局１、１次局２、１次局３、及び１次局６のアップリンク送信パラメータに従い、決定パラメータを決定する。第２の２０ＭＨｚ帯域幅について決定パラメータを計算するとき、１次アクセスポイントは、第２の２０ＭＨｚサブ帯域幅に基づき、及び第２の２０ＭＨｚ帯域幅でアップリンクデータを送信する１次局４、１次局５、１次局７、及び１次局８により使用される送信パラメータに従い、第２の２０ＭＨｚ帯域幅について決定パラメータを決定する。次に、１次アクセスポイントは、第１の２０ＭＨｚ帯域幅についての計算により得られた及び第２の２０ＭＨｚ帯域幅についての計算により得られた決定パラメータに従い、別個に決定処理を実行する。
【０１１４】
別の例では、１次アクセスポイントは、４０ＭＨｚ帯域幅を２つの２０ＭＨｚサブ帯域幅に分割し、次に履歴情報に従い第１の２０ＭＨｚサブ帯域幅に対して決定処理を実行して、再使用送信装置の再使用送信が第１の２０ＭＨｚサブ帯域幅上で許可されるか否かを決定して良い。第２の２０ＭＨｚサブ帯域幅について、１次アクセスポイントは、先ず、第２の２０ＭＨｚサブ帯域幅上でアップリンクデータを送信する１次局の送信パラメータに従い、第２の２０ＭＨｚサブ帯域幅について決定パラメータを決定し、次に、該決定パラメータに従い決定処理を実行して、第２の２０ＭＨｚサブ帯域幅上で再使用送信が許可されるか否かを決定する。
【０１１５】
追加で、１次アクセスポイントは、さらに、１次局に割り当てられた実際の占有帯域幅に従い、決定パラメータを別個に計算して良い。
【０１１６】
例えば、第１の２０ＭＨｚサブ帯域幅上で、７ＭＨｚ送信帯域幅が局１に割り当てられ、５ＭＨｚ送信帯域幅が局２に割り当てられ、７．５ＭＨｚ送信帯域幅が局３に割り当てられる。この場合、１次アクセスポイントは、７ＭＨｚ帯域幅、５ＭＨｚ帯域幅、及び７．５ＭＨｚ帯域幅の各々に従い、対応する帯域幅についての決定パラメータを決定して良い。
【０１１７】
理解されるべきことに、本発明の本実施形態では、１次リンクが４０ＭＨｚ送信帯域幅を有する例のみが説明のために使用される。本発明はこれに限定されない。１次リンクは、より大きな送信帯域幅、例えば８０ＭＨｚ帯域幅又は１６０ＭＨｚ帯域幅を有して良い。１次リンクがより大きな送信帯域幅を有するときに使用される決定パラメータ決定方法は、１次リンクが４０ＭＨｚ送信帯域幅を有するときに使用されるものと同様である。簡潔さのために、詳細事項はここで再び記載されない。
【０１１８】
同様に、本発明の本実施形態では、１次リンクが２０ＭＨｚサブ帯域幅を有する例のみが説明のために使用される。本発明はこれに限定されない。例えば、１次リンクが２０ＭＨｚ送信帯域幅を有するとき、１次リンクは１０ＭＨｚサブ帯域幅を有して良い。別の例では、１次リンクが８０ＭＨｚ送信帯域幅を有するとき、１次リンクは４０ＭＨｚサブ帯域幅を有して良い。
【０１１９】
相応して、再使用送信装置は、複数の空間再使用送信シグナリング片を受信する。この場合、再使用送信装置は、再使用送信装置の送信帯域幅に対応する空間再使用送信シグナリングに従い、データ送信を実行する必要がある。例えば、再使用送信は、１次リンクの第１の２０ＭＨｚサブ帯域幅上で許可され、再使用送信は１次リンクの第２の２０ＭＨｚサブ帯域幅上で禁止される。再使用送信装置により使用される送信帯域幅に対応する２０ＭＨｚ帯域幅が、１次リンクの第２の２０ＭＨｚサブ帯域幅である場合、再使用送信装置は、データを送信するために第２の２０ＭＨｚサブ帯域幅を使用できない。あるいは、再使用送信装置により使用される送信帯域幅に対応する２０ＭＨｚ帯域幅が、１次リンクの第１の２０ＭＨｚサブ帯域幅である場合、再使用送信装置は、再使用送信を実行できる。別の例では、再使用送信装置により使用される送信帯域幅は、１次リンクの第２の２０ＭＨｚサブ帯域幅に対応し、第２の２０ＭＨｚサブ帯域幅に対応する受信した空間再使用送信シグナリングは、再使用送信装置の再使用送信が許可されることを示すだけでなく、１次リンク上で許可される最大干渉電力も示す。この場合、再使用送信装置が再使用送信を実行しようとする場合、再使用送信装置は、最大干渉電力に従い、再使用送信装置が再使用送信中に使用可能な最大送信電力を計算する必要がある。さらに、１次リンクに対して引き起こされる起こり得る干渉を低減するために、データ送信中に使用される送信電力は、最大送信電力を超えてはならない。
【０１２０】
したがって、本発明の実施形態におけるデータ送信方法によると、データ送信中の１次リンクと空間再使用リンクとの間の相互干渉が低減でき、送信品質が向上され得る。
【０１２１】
任意で、決定パラメータは、１次アクセスポイントが１次局により送信されたアップリンクデータフレームを受信するときに許容される最大干渉電力である。
【０１２２】
つまり、決定処理を実行するとき、１次アクセスポイントは、決定パラメータとして、１次局がアップリンクデータフレームを送信するときに許容される最大干渉電力を使用して良い。
【０１２３】
任意で、通信システムが少なくとも２つの１次局を含むとき、１次アクセスポイントが、１次局により使用された送信パラメータに従い決定パラメータを決定することは、
１次アクセスポイントにより、少なくとも２つの１次局のうちの全部により使用されたアップリンク送信パラメータに従い、１次アクセスポイントが少なくとも２つの１次局のうちの全部により送信されたアップリンクデータフレームを受信するときに許容される最大干渉電力密度を決定するステップと、
１次アクセスポイントにより、最大干渉電力密度から最小値を決定するステップと、
１次アクセスポイントにより、最小値に従い最大干渉電力を決定するステップと、を含む。
【０１２４】
具体的に、通信システムの中に複数の１次局があるとき、１次アクセスポイントは、各局のアップリンク送信パラメータに従い、１次アクセスポイントが局により送信されたアップリンクデータフレームを受信するときに許容される最大干渉電力密度を計算して良い。このように、複数の最大干渉電力密度が存在する。１次アクセスポイントが複数の１次局により送信されたアップリンクデータフレームを効率的に受信できるために、以下の条件が満たされなければならない。１次アクセスポイントが各１次局により送信されたアップリンクデータフレームを受信するとき、空間再使用リンクにより引き起こされる干渉は、１次アクセスポイントが耐え得る干渉限界を超えてはならない。したがって、１次アクセスポイントは、複数の最大干渉電力密度から最小値を選択する必要があり、最小値に従い最大干渉電力を決定する。
【０１２５】
任意で、１次アクセスポイントが、少なくとも２つの１次局のうちの全部により使用された送信パラメータに従い、１次アクセスポイントが少なくとも２つの１次局のうちの全部により送信されたアップリンクデータフレームを受信するときに許容される最大干渉電力密度を決定することは、
１次アクセスポイントにより、式
【数３】
0006559891.tif 000004
に従い、１次アクセスポイントが少なくとも２つの１次局の中の局ｋにより送信されたアップリンクデータフレームを受信するときに許容される最大干渉電力密度を決定するステップを含み、ここで、
ｉｓｄＳＴＡｋは、１次アクセスポイントが局ｋにより送信されたアップリンクデータフレームを受信するときに許容される最大干渉電力密度を示し、ＰＴｘＳＴＡｋは局ｋがアップリンクデータフレームを送信するために局ｋにより使用される送信電力を示し、ＳＩＮＲｒｅｑｕｉｒｅｄＳＴＡｋは、１次アクセスポイントが局ｋにより送信されたアップリンクデータフレームを受信するときに要求される最小信号対干渉及び雑音比を示し、ＢＷＳＴＡｋは、局ｋがアップリンクデータフレームを送信するときに使用される送信帯域幅を示す。
【０１２６】
留意すべきことに、本発明の本実施形態では、１次局は、１次アクセスポイントによりアップリンクデータフレームを送信するようスケジューリングされた１次局である。例えば、図３では、局ｋは、局１、局６、局７、又は局８であって良い。図４では、第１の２０ＭＨｚサブ帯域幅上の局ｋは、局１、局２、局３、又は局６であって良く、第２の２０ＭＨｚサブ帯域幅上の局ｋは、局４、局５、局７、又は局８であって良い。
【０１２７】
１次局の送信電力は、ＡＰ１の受信電力を得るために、１次局とＡＰ１との間の送信中の損失により除算される。ＡＰ１が１次局により送信されたデータフレームを受信するときに許容される最大干渉電力を得るために、受信電力は要求される最小ＳＩＮＲにより除算される。次に、ＡＰ１が１次局により送信されたデータフレームを受信するときに許容される最大干渉電力密度を得るために、最大干渉電力は、１次局により使用される送信帯域幅により除算される。
【０１２８】
理解されるべきことに、１次局はＡＰ１によりスケジューリングされるので、ＡＰ１は、送信電力、割り当てられた送信帯域幅、ＭＣＳ、及び１次局の同様の情報を知っている。データフレームを受信するために必要な最小ＳＩＮＲは、割り当てられた送信帯域幅を使用して得ることができる。追加で、ＡＰ１は、履歴情報に従い、１次局からＡＰ１への送信中の損失を得て良い。例えば、ランダムアクセスによるアップリンク要求フレームを送信するとき、１次局は、通常、規格で定められた最大送信電力を使用してアップリンク要求フレームを送信する。このように、ＡＰ１は、指定最大送信電力、及び受信電力を用いてＡＰ１がアップリンク要求フレームを受信する該受信電力に従い、送信損失を計算する。
【０１２９】
１次アクセスポイントが、最小値に従い最大干渉電力を決定することは、
式Ｉｍａｘ＿ｌｅｖｅｌ＝ＳＴＡｋｍｉｎ{ｉｓｄＳＴＡｋ}・ＢＷｔｏｔａｌ／Ｒｅｄｕｎｄａｎｃｙに従い、１次リンクの送信帯域幅上の最大干渉電力を決定するステップ、又は、
式Ｉｍｍａｘ＿ｌｅｖｅｌ＝ＳＴＡｋ∈｛ｍthｓｕｂ−ｂａｎｄ｝ｍｉｎ{ｉｓｄＳＴＡｋ}・ＢＷｍ／Ｒｅｄｕｎｄａｎｃｙに従い、Ｎ個の送信サブ帯域幅の中のｍ番目のサブ帯域幅上の最大干渉電力を決定するステップ、を含み、ここで、
Ｉｍａｘ＿ｌｅｖｅｌは、１次アクセスポイントＡＰ１が少なくとも１つのアップリンク局により送信されたアップリンクデータフレームを受信するときに許容される最大干渉電力であり、ＳＴＡｋｍｉｎ{ｉｓｄＳＴＡｋ}は１次アクセスポイントにより最大干渉電力密度から決定された最小値を示し、ＢＷｔｏｔａｌは１次リンクの送信帯域幅を示し、Ｒｅｄｕｎｄａｎｃｙはシステム内で予約された冗長性を示し、Ｉｍｍａｘ＿ｌｅｖｅｌはｍ番目のサブ帯域幅上の最大干渉電力を示し、ＢＷｍはＮ個の送信サブ帯域幅の中のｍ番目のサブ帯域幅を示す。
【０１３０】
留意すべきことに、最大干渉電力はその別の論理的変形であって良い。例えば、Ｔｍａｘ＿ｌｅｖｅｌ＝ＩＰｍａｘ＿ｌｅｖｅｌ・ＰＴｘＡＰ１、ここで、ＰＴｘＡＰ１は１次アクセスポイントＡＰ１の送信電力を示す。
【０１３１】
つまり、最大干渉電力を決定するとき、１次アクセスポイントは、１次リンクの合計送信帯域幅に従い、計算を実行して良く、又は、合計送信帯域幅より小さいサブ帯域幅に基づき計算を実行して良い。
【０１３２】
例えば、１次リンクが４０ＭＨｚ合計送信帯域幅を有する場合、空間再使用送信パラメータは、２つの２０ＭＨｚサブ帯域幅の各々について計算される。１次リンクがより大きな送信帯域幅を有するとき、空間再使用送信パラメータは、本方法と同様の方法を用いて計算されて良い。最小値は、第１の２０ＭＨｚサブ帯域幅に属する少なくとも１つの最大干渉電力密度から選択される。最小値は、第１のサブ帯域幅の帯域幅値（つまり２０ＭＨｚ帯域幅）により乗算され、次に、システム冗長性係数が、乗算の後に得られた値から減算されて、ＡＰ１が第１基本サブ帯域幅上で少なくとも１つのアップリンク局により送信されたアップリンクデータフレームを受信するときに許容される最大干渉電力を得る。例えば、図４で、ｍ＝１のとき、局ｋは、局１、局２、局３、又は局６であって良い。あるいは、ｍ＝２のとき、局ｋは、局４、局５、局７、又は局８であって良い。
【０１３３】
留意すべきことに、システムの冗長性Ｒｅｄｕｎｄａｎｃｙは、システムの冗長係数としても参照されて良い。冗長性は、事前合意された固定値、又は事前合意方法に従う計算により得られた値であって良い。代替で、冗長性は０であって良い。
【０１３４】
最小値は、計算により得られた最大干渉電力密度値から選択され、次に、最小値は合計送信帯域幅により乗算される。例えば、１次リンクが２０ＭＨｚ合計送信帯域幅を有するとき、ＢＷｔｏｔａｌ＝２０ＭＨｚ帯域幅である。別の例では、１次リンクが４０ＭＨｚ合計送信帯域幅を有するとき、ＢＷｔｏｔａｌ＝４０ＭＨｚ帯域幅である。次に、乗算の後に得られた値は、システム内で予約された冗長性により除算されて、少なくとも１つのアップリンク局により送信されたアップリンクデータフレームが受信されるときに許容される最大干渉電力を得る。
【０１３５】
留意すべきことに、最大干渉電力が前述の式に従い計算されるとき、計算がデシベルの単位で実行される場合、式はＩｍａｘ＿ｌｅｖｅｌ＝ＳＴＡｋｍｉｎ{ｉｓｄＳＴＡｋ}・ＢＷｔｏｔａｌ−Ｒｅｄｕｎｄａｎｃｙとしても表されて良い。つまり、最小干渉電力密度は、１次リンクの合計送信帯域幅により乗算され、次に、システム内で予約された冗長性が乗算後に得られた値から減算されて、少なくとも１つのアップリンク局により送信されたアップリンクデータフレームが受信されるときに許容される最大干渉電力を得る。したがって、計算式の論理的形式が計算中に使用される異なる単位に従う変化する変形は、本発明の実施形態の保護範囲に包含されるべきである。
【０１３６】
Ｓ１２０で、１次アクセスポイントは、決定処理の後に得られた決定結果に従い、空間再使用送信シグナリングを生成する。
【０１３７】
任意で、本発明の本実施形態では、空間再使用送信シグナリングは、再使用送信装置が１次リンクの時間周波数リソースのうちの全部又は一部を使用することを禁止されることを示すために使用される第１空間再使用送信シグナリングを含む、又は、空間再使用送信シグナリングは、再使用送信装置が１次リンクの時間周波数リソースのうちの全部又は一部を使用することを許可されることを示すために使用される第２空間再使用送信シグナリングを含む。
【０１３８】
具体的に、決定処理の後に、１次アクセスポイントは、決定結果に従い、空間再使用送信シグナリングを生成する。例えば、１次アクセスポイントは、再使用送信装置の再使用送信が許可されるか又は禁止されるかを示すために、空間再使用送信シグナリングの中で１ビットを使用して良い。代替で、１次アクセスポイントは、決定パラメータを示すために４ビットを使用して良い。例えば、プリセットルールに従い、「００００」は−８０ｄＢｍの許容最大干渉電力を示すために使用され、「０００１」は−７５ｄＢｍの許容最大干渉電力を示すために使用され、「１１１１」は−５ｄＢｍの許容最大干渉電力を示すために使用される。代替で、１次アクセスポイントは、再使用送信装置の再使用送信が許可されるか否かを示すために、空間再使用送信シグナリングの中で１ビットを使用し、決定パラメータを示すために更に４ビットを使用して良い。代替で、１次アクセスポイントは、再使用送信装置の再使用送信が禁止されることを示すために４ビットの全部「０」の組合せを使用し、決定パラメータを示すために残りのビット組合せを使用する。或いは、１次アクセスポイントは、再使用送信装置の再使用送信が許可されることを示すために４ビットの全部「１」の組合せを使用し、判定パラメータを示すために残りのビット組合せを使用する。或いは、１次アクセスポイントは、無条件の許可を示すために４ビットの全部「１」の組合せを使用し、又は無条件の禁止を示すために４ビットの全部「０」の組合せを使用する。
【０１３９】
留意すべきことに、無条件の許可又は無条件の禁止は、１次アクセスポイントが再使用送信装置の送信電力について要件を有しないことを示す。
【０１４０】
任意で、１次アクセスポイントが、決定処理の後に得られた決定結果に従い、空間再使用送信シグナリングを生成することは、
１次アクセスポイントにより、Ｎ個の決定パラメータに従い決定処理を実行し、Ｎ個の空間再使用送信シグナリング片を生成するステップを含む。
【０１４１】
例えば、図４に示すように、１次アクセスポイントは、４０ＭＨｚ送信帯域幅を２個の２０ＭＨｚサブ帯域幅に分割し、次に、１次アクセスポイントは、第１の２０ＭＨｚサブ帯域幅上の決定パラメータ、及び第２の２０ＭＨｚサブ帯域幅上の決定パラメータを、別個に計算する。次に、１次アクセスポイントは、第１の２０ＭＨｚ帯域幅についての計算により得られた及び第２の２０ＭＨｚ帯域幅についての計算により得られた決定パラメータに従い、別個に決定処理を実行する。つまり、１つの空間再使用送信シグナリング片が、各２０ＭＨｚサブ帯域幅について生成される。
【０１４２】
例えば、１次アクセスポイントは、履歴情報に従い第１の２０ＭＨｚサブ帯域幅に対して決定処理を実行して、第１の２０ＭＨｚサブ帯域幅上の空間再使用送信シグナリングを生成し、次に、１次アクセスポイントは、１次局により送信された送信パラメータに従い第２の２０ＭＨｚサブ帯域幅上の決定パラメータを決定し、次に、決定した決定パラメータに従い第２の２０ＭＨｚサブ帯域幅上の空間再使用送信シグナリングを生成する。
【０１４３】
この場合、２つの空間再使用送信シグナリング片が生成される。したがって、空間再使用送信シグナリングを示すために８ビットが使用されて良い。例えば、ｂ０〜ｂ３は、第１サブ帯域幅上の空間再使用送信シグナリングを示すために使用され、ｂ４〜ｂ７は、第２サブ帯域幅上の空間再使用送信シグナリングを示すために使用される。
【０１４４】
更に別の例では、１次アクセスポイントは、履歴情報に従い、第１の２０ＭＨｚサブ帯域幅及び第２の２０ＭＨｚサブ帯域幅の両方に対して決定処理を更に実行して良い。この場合、１つの空間再使用送信シグナリング片が、各２０ＭＨｚサブ帯域幅について生成される。この場合、１次アクセスポイントは、再使用送信装置の再使用送信が２つの２０ＭＨｚサブ帯域幅の各々で許可されるか否かを示すために、２ビットを使用して良い。
【０１４５】
したがって、本発明の本実施形態におけるデータ送信方法によると、１次アクセスポイントは、１次リンクの送信帯域幅に従い空間再使用送信シグナリングを生成して良く、又は、１次リンクの送信帯域幅より小さいサブ帯域幅に基づき空間再使用送信シグナリングを生成して良い。さらに、再使用送信装置は、受信した空間再使用送信シグナリングに従い、及び１次リンクの送信帯域幅と再使用送信中に再使用送信装置により使用される送信帯域幅との間の対応を参照して、データを送信するために１次リンクの時間周波数リソースのうちの全部又は一部を使用するか否かについて処理を実行して良い。したがって、１次リンクに対して再使用送信により引き起こされる干渉は、低減でき、送信品質は向上され得る。
【０１４６】
任意で、決定処理の後に得られた決定結果が、再使用送信装置がデータを送信するために１次リンクの時間周波数リソースのうちの全部又は一部を使用することを許可されることであるとき、空間再使用送信シグナリングは電力指示情報を含む。電力指示情報は、再使用送信装置がデータを送信するために１次リンクの時間周波数リソースのうちの全部又は一部を使用するときに使用可能な最大送信電力を決定するために、再使用送信装置により使用される。
【０１４７】
理解されるべきことに、電力指示情報は、１次アクセスポイントが１次局により送信されたアップリンクデータフレームを受信するときに許容される最大干渉電力であって良く、又は、別のパラメータであって良く、例えば最大干渉電力の別の論理的変形であって良い。
【０１４８】
具体的に、決定処理の後に、１次アクセスポイントは、空間再使用送信シグナリングを生成する。空間再使用送信シグナリングは、再使用送信装置がデータを送信するために時間周波数リソースのうちの全部又は一部を使用可能であることを示して良い。追加で、電力指示情報は、空間再使用送信シグナリングに更に追加されて良い。したがって、空間再使用送信シグナリングを受信した後に、再使用送信装置は、再使用送信が実行可能か否かを知ることができるだけでなく、使用可能な最大送信電力も知ることができる。このように、１次リンク上のデータ送信に対して干渉が引き起こされない。例えば、１次アクセスポイントは、再使用送信装置の再使用送信が許可されることを示すために１ビットを使用し、更に最大干渉電力を示すために４ビットを使用して良い。あるいは、１次アクセスポイントは、再使用送信が許可又は禁止されることを示すために４ビットの特定の値群を使用し、最大干渉電力を示すために４ビットの値群を使用して良い。
【０１４９】
相応して、電力指示情報を受信した後に、再使用送信装置は、再使用送信中に使用可能な最大送信電力を決定し、１次リンクと空間再使用リンクとの間の干渉を低減するために、該最大送信電力より大きくない電力を用いてデータを送信して良い。
【０１５０】
したがって、本発明の実施形態におけるデータ送信方法によると、データ送信中の１次リンクと空間再使用リンクとの間の相互干渉が低減でき、送信品質が向上され得る。
【０１５１】
Ｓ１３０で、再使用送信装置が、空間再使用送信シグナリングに従い、空間再使用リンクに基づきデータ送信処理を実行できるように、１次アクセスポイントは、空間再使用送信シグナリングを送信する。
【０１５２】
任意で、１次局が、アップリンクデータフレームを送信するときにアップリンクデータフレームに空間再使用送信シグナリングを追加し、及び再使用送信装置がアップリンクデータフレームから空間再使用送信シグナリングを取得できるように、１次アクセスポイントは、１次局へ空間再使用送信シグナリングを送信する。
【０１５３】
具体的に、１次アクセスポイントは、アップリンクデータを送信するよう１次局をスケジューリングするために、１次局へトリガフレームを送信する。トリガフレームのシグナリングＡフィールド又は負荷情報は、空間再使用送信シグナリングを伝達する。
【０１５４】
相応して、１次局は、１次アクセスポイントにより送信された空間再使用送信シグナリングを受信し、空間再使用送信シグナリングを後に送信されるアップリンクデータフレームに追加して、空間再使用リンクの再使用送信装置がアップリンクデータから空間再使用送信シグナリングを取得し、及び空間再使用送信シグナリングに従い、空間再使用リンクに基づきデータ送信を実行できるようにする。
【０１５５】
つまり、再使用送信装置は、空間再使用送信パラメータを受信する。空間再使用送信パラメータは、１次アクセスポイントから１次局へ送信されたトリガフレームから取得されて良く、又は１次局により１次アクセスポイントへ送信されたアップリンクデータフレームから取得されて良い。次に再使用送信装置は、空間再使用送信シグナリングに従い、空間再使用リンクに基づきデータ送信処理を実行して良い。
【０１５６】
例えば、再使用送信装置が、再使用送信装置がデータを送信するために１次リンクの時間周波数ドメインリソースのうちの全部又は一部を使用することを禁止されることを示すために使用される空間再使用送信シグナリングＡ（つまり、第１空間再使用送信シグナリングの一例）を受信すると、再使用送信装置は、空間再使用送信シグナリングに従い、データを送信するために１次リンクの時間周波数リソースのうちの全部又は一部を使用できない。別の例では、再使用送信装置が、再使用送信装置がデータを送信するために１次リンクの時間周波数ドメインリソースのうちの全部又は一部を使用することを許可されることを示すために使用される空間再使用送信シグナリングＢ（つまり、第２空間再使用送信シグナリングの一例）を受信すると、再使用送信装置は、空間再使用送信シグナリングＢに従い、データを送信できる。明らかに、再使用送信装置が再使用送信を許可する空間再使用送信シグナリングを受信した場合でも、再使用送信装置は、リンクに関する他の情報を参照して、この再使用送信機会を断念することを選択して良い、等である。
【０１５７】
理解されるべきことに、１次アクセスポイントが複数の空間再使用送信シグナリング片を送信する場合、１次局は、相応して複数の空間再使用送信シグナリング片を受信し、１次局は、相応して、空間再使用送信シグナリングをアップリンクデータフレームに追加するとき、複数の空間再使用送信シグナリング片を追加する必要がある。特定の追加方法が、図６の図６Ａ及び図６Ｂに示される。例えば、図６Ａに示すように、１次リンクは２０ＭＨｚ基本帯域幅を有し、各２０ＭＨｚ帯域幅上でＳＩＧＡフィールドが対応する空間再使用送信シグナリングを伝達する。つまり、２０ＭＨｚ帯域幅上のＳＩＧＡフィールドは、異なる空間再使用送信シグナリングを伝達して良い。別の例では、図６Ｂに示すように、１次リンクは２０ＭＨｚ基本サブ帯域幅を有し、２０ＭＨｚ帯域幅上のＳＩＧＡフィールドは全ての空間再使用送信シグナリング片を伝達する。つまり、２０ＭＨｚ帯域幅上のＳＩＧＡフィールドは、同じ空間再使用送信シグナリングを伝達して良い。
【０１５８】
理解されるべきことに、再使用送信装置がＮ個の空間再使用送信シグナリング片を受信する場合、再使用送信装置は、Ｎ個の空間再使用送信シグナリング片に従い、空間再使用リンクに基づきデータ送信処理を実行する必要がある。
【０１５９】
具体的に、再使用送信装置は、データ送信処理を実行するために、Ｎ個の空間再使用送信シグナリング片から、再使用送信装置の送信帯域幅に対応する空間再使用送信パラメータを選択する。
【０１６０】
例えば、空間再使用送信の間に使用される送信帯域幅に対応する２０ＭＨｚ帯域幅が１次リンクの第２の２０ＭＨｚ送信サブ帯域幅である場合、対応する許容最大干渉電力を得るために、ビットｂ４〜ｂ７に対応する空間再使用送信パラメータが選択される。別の例では、再使用送信装置は、２個の空間再使用送信シグナリング片を受信する。再使用送信は、第１の２０ＭＨｚ送信サブ帯域幅上で禁止され、再使用送信は第２の２０ＭＨｚ送信サブ帯域幅上で許可される。再使用送信装置により使用される送信帯域幅が１次リンクの第２の２０ＭＨｚサブ帯域幅に対応する場合、再使用送信装置は、データを送信するために第２の２０ＭＨｚサブ帯域幅を使用して良い。再使用送信装置により使用される送信帯域幅が１次リンクの第１の２０ＭＨｚ送信サブ帯域幅に対応する場合、再使用送信装置は、この再使用送信機会を断念するだけで良い。
【０１６１】
再使用送信の間に使用可能な最大送信電力を決定するとき、再使用送信装置は、式ＰＴｘＳＲ＿ｍａｘ＝〜Ｉｍａｘ＿ｌｅｖｅｌ・ＬＳＲに従い、最大送信電力を決定して良い。ここで、ＰＴｘＳＲ＿ｍａｘは最大送信電力を示し、〜Ｉｍａｘ＿ｌｅｖｅｌは最大干渉電力を示し、ＬＳＲは再使用送信装置から１次アクセスポイントへの送信中の損失を示す。
【０１６２】
理解されるべきことに、再使用送信装置により使用される送信帯域幅が２０ＭＨｚ帯域幅ではないが、２０ＭＨｚ帯域幅の中の占有サブチャネルである場合、例えば、再使用送信装置は、ＡＰ２によりスケジューリングされたアップリンク局であり、ＡＰ２は再使用送信装置に２０ＭＨｚ帯域幅より少ないＢＷＳＲの送信帯域幅を割り当て、最大送信電力を計算するより厳格な方法は次式の通りである：
【数４】
0006559891.tif 000005
ここで、ＢＷＳＲは再使用送信装置により使用される帯域幅であり、ＢＷｔｏｔａｌは、合計送信帯域幅又は再使用送信装置により使用される帯域幅の属する１次リンクのサブ帯域幅の値である。
【０１６３】
相応して、再使用送信中に再使用送信装置により使用される帯域幅が１次リンクのサブ帯域幅より大きい場合、再使用送信装置は、再使用送信中に再使用送信装置により使用可能な最大送信電力を決定するために、１次リンクの且つ再使用送信装置により使用される送信帯域幅に含まれるサブ帯域幅セットに対応する最大干渉電力値から最小値を選択する必要がある。
【０１６４】
例えば、再使用送信装置が４０ＭＨｚ送信帯域幅を使用し、１次リンクが２０ＭＨｚサブ帯域幅、１０ＭＨｚサブ帯域幅、及び１０ＭＨｚサブ帯域幅を有する場合、再使用送信装置は、再使用送信中に使用可能な最大送信電力を計算するために、２０ＭＨｚ帯域幅、１０ＭＨｚ帯域幅、及び１０ＭＨｚ帯域幅を含む基本サブ帯域幅セットに対応する最大干渉電力値から最小値を選択する必要がある。
【０１６５】
理解されるべきことに、本発明の本実施形態では、再使用送信装置が、データを送信するために１次リンクの時間周波数リソースのうちの全部又は一部を使用する場合、再使用送信装置は、空間再使用送信シグナリングＣ（つまり、第４再使用送信シグナリングの一例）を生成して良い。空間再使用送信シグナリングＣは、通信システムの中の第三者装置が、該第三者装置が空間再使用送信シグナリングＣを受信したときに、この再使用送信機会を使用することを禁止するために使用される。具体的に、データ送信処理において、再使用送信装置は、第三者装置がこの再使用送信機会を使用することを望まない。したがって、再使用送信装置は、第４空間再使用送信シグナリングを、再使用送信中に送信されるデータフレームに追加する。この場合、通信システムの中に第三者装置があり、第三者装置が１次アクセスポイント及び再使用送信装置の両者に比較的近い場合、第三者装置は、リッスンにより１次アクセスポイントの空間再使用送信シグナリングを取得するだけでなく、リッスンにより再使用送信装置により送信された第４空間再使用送信シグナリングも取得し得る。この場合、第三者装置リッスンにより１次リンク上の再使用送信を許可するシグナリングを得た場合でも、第４空間再使用送信シグナリングが、第三者装置が再使用送信装置と同時に再使用送信を実行することを禁止するので、第三者装置はこの再使用送信機会を使用できない。
【０１６６】
留意すべきことに、本実施形態では、再使用送信装置は、第三者装置と同時に再使用送信を実行することを望まないので、再使用送信装置は、任意の判定処理を実行せずに、第４空間再使用送信シグナリングを直接生成して良い。
【０１６７】
追加で、再使用送信装置は、第２決定パラメータに従い決定処理を実行し、次に、決定処理後に得た決定結果に従い第４空間再使用送信シグナリングを生成して良い。
【０１６８】
理解されるべきことに、第２決定パラメータは空間再使用リンクに関連するパラメータである。再使用送信装置は、第２決定パラメータに従い、第三者装置が空間再使用リンク上で再使用送信を実行することを許可されるか否かに関する決定処理を実行し、相応して、空間再使用リンクの空間再使用送信シグナリング（つまり、第４空間再使用送信シグナリング）を生成して良い。
【０１６９】
更に理解されるべきことに、再使用送信装置が第２決定パラメータに従い決定処理を実行し、決定結果に従い第４空間再使用送信シグナリングを生成する処理は、１次アクセスポイントが決定処理を実行し空間再使用送信シグナリングを生成する方法と同様である。簡潔さのために、詳細事項はここで再び記載されない。
【０１７０】
つまり、本発明の本実施形態では、第４空間再使用送信シグナリングは、第三者装置の再使用送信を禁止するために使用される。しかしならが、明らかに、第４空間再使用送信シグナリングは、第三者装置の再使用送信が許可されることを更に示して良い。再使用送信が許可されることを示すとき、第４空間再使用送信シグナリングは、第２決定パラメータ又は第三者装置により使用可能な最大送信電力を更に示して良い。つまり、再使用送信装置が空間再使用リンクの空間再使用送信シグナリング（つまり、第４空間再使用送信シグナリングの一例）を生成する機能は、１次アクセスポイントが１次リンクの空間再使用送信シグナリングを生成する機能と同様であり、生成処理及び方法も同様でる。簡潔さのために、詳細事項はここで再び記載されない。
【０１７１】
理解されるべきことに、本発明の本実施形態における再使用送信装置及び１次アクセスポイントは、異なるＢＳＳに属して良く、又は同じＢＳＳに属して良い。本発明の本実施形態におけるデータ送信方法は、再使用送信装置及び１次アクセスポイントが異なるＢＳＳに属する場合において記載される。以下は、再使用送信装置及び１次アクセスポイントが同じＢＳＳに属する場合を記載する。
【０１７２】
１次アクセスポイント及び再使用送信装置が同じＢＳＳに属するとき、１次リンクはＢＳＳの中のアップリンクマルチユーザＵＬ  ＭＵのために使用され、空間再使用リンクは同じＢＳＳの中のＤ２Ｄ送信のために使用される。この場合、再使用送信装置は、Ｄ２Ｄ送信局としても参照されて良く、ＳＲ送信はＤ２Ｄ送信である。
【０１７３】
具体的に、Ｄ２Ｄ送信局は、トリガフレーム又はアップリンクデータフレームを受信し、トリガフレーム又はアップリンクデータフレームがＢＳＳの送信フレームか否かを決定する。トリガフレーム又はアップリンクデータフレームがＢＳＳの送信フレームである場合、Ｄ２Ｄ送信中に許可される最大送信電力は、トリガフレーム又はアップリンクデータフレーム内で伝達される空間再使用送信シグナリングに従い計算される。トリガフレーム又はアップリンクデータフレームがＢＳＳの送信フレームではない場合、Ｄ２Ｄ送信中に許可される最大送信電力は、既存の標準手順に従い計算されて良く、又は前述の実施形態における手順に従い計算されて良い。これは、本発明において限定されない。
【０１７４】
追加で、Ｄ２Ｄ送信局は、現在の送信がＤ２Ｄ送信であるか否かを示すために、送信フレームのプリアンブルの中のＳＩＧＡフィールド内の１ビット指示情報を使用して良い。例えば、「１」は送信フレームがＤ２Ｄデータフレームであることを示し、「０」は送信フレームが共通データフレームであることを示す。このＢＳＳの中の別のＤ２Ｄ送信局がＢＳＳのトリガフレームを受信した後に、該別のＤ２Ｄ送信局は、前述の手順に従い、Ｄ２Ｄ送信中に許可される最大送信電力を計算し、クリア・チャネル・アセスメント（ＣＣＡ）検出が後に実行される。ＣＣＡ検出が成功し、別のＤ２Ｄ送信局は、ランダムバックオフ処理の中でＢＳＳのデータフレームを更に受信すると仮定する。この場合、別のＤ２Ｄ送信局が、データフレーム内の１ビット指示情報が「１」であると決定した場合、該別のＤ２Ｄ送信局は、Ｄ２Ｄデータフレームの送信が終了する前に、この再使用送信機会を断念する。或いは、別のＤ２Ｄ送信局が、１ビット指示情報が「０」であると決定した場合、該別のＤ２Ｄ送信局は、再使用手順を実行し続ける。
【０１７５】
したがって、本発明の本実施形態におけるデータ送信方法によると、１次アクセスポイントは、決定パラメータに従い、空間再使用リンクの再使用送信装置がデータを送信するために１次リンクの時間周波数リソースのうちの全部又は一部を使用することを許可されるか否かを決定し、決定処理の後に得られた決定結果に対応する空間再使用送信シグナリングを生成して、空間再使用送信シグナリングを得た後に再使用送信装置が空間再使用リンクに基づきデータ送信処理を実行できるようにする。したがって、１次リンクと空間再使用リンクとの間の干渉が低減され、送信品質は向上され得る。
【０１７６】
図２〜図４を参照して、以上は、１次アクセスポイントの観点から、本発明の実施形態におけるデータ送信方法を記載した。図５及び図６を参照して、以下は、１次局の観点から、本発明の実施形態におけるデータ送信方法を記載した。
【０１７７】
図５は、本発明の一実施形態における１次局の観点から記載されるデータ送信方法２００の概略フローチャートである。図５に示すように、方法２００は以下のステップを含む。
【０１７８】
Ｓ２１０。１次局は、１次アクセスポイントにより送信される空間再使用送信シグナリングを受信する。ここで、空間再使用送信シグナリングは、空間再使用リンクに基づきデータ送信処理を実行するために１次リンクの時間周波数リソースのうちの全部又は一部を使用するか否かを決定するために、空間再使用リンクの再使用送信装置により使用される。
【０１７９】
Ｓ２２０。１次局は、アップリンクデータフレームを１次アクセスポイントへ送信する。ここで、アップリンクデータフレームは、空間再使用送信シグナリングを伝達する。
【０１８０】
具体的に、１次局は、１次アクセスポイントにより送信された空間再使用送信シグナリングを受信し、空間再使用送信シグナリングを後に送信されるアップリンクデータフレームに追加する。空間再使用送信シグナリングは、決定結果に対応する。決定結果は、１次アクセスポイントが決定パラメータに従い決定処理を実行した後に得られる。決定処理は、空間再使用リンクの再使用送信装置がデータを送信するために１次リンクの時間周波数リソースのうちの全部又は一部を使用することを許可されるか否かを決定するために使用される。
【０１８１】
任意で、空間再使用送信シグナリングは、アップリンクデータフレームのプリアンブル内のシグナリングＡフィールドの中にある。
【０１８２】
任意で、空間再使用送信シグナリングは、再使用送信装置が１次リンクの時間周波数リソースのうちの全部又は一部を使用することを禁止されることを示すために使用される第１空間再使用送信シグナリングを含む、又は、空間再使用送信シグナリングは、再使用送信装置が１次リンクの時間周波数リソースのうちの全部又は一部を使用することを許可されることを示すために使用される第２空間再使用送信シグナリングを含む。
【０１８３】
任意で、Ｎ個の空間再使用送信シグナリング片があり、Ｎ個の空間再使用送信シグナリング片は、１次リンクのＮ個の送信サブ帯域幅と１対１に対応し、各空間再使用送信シグナリング片は、再使用送信装置が対応する送信サブ帯域幅を使用することを許可されるか否かを決定するために使用され、Ｎ≧２である。
【０１８４】
１次局が、アップリンクデータフレームを１次アクセスポイントへ送信し、アップリンクデータフレームが、空間再使用送信シグナリングを伝達することは、
１次局により、Ｎ個の空間再使用送信シグナリングをＮ個の送信サブ帯域幅の各々におけるアップリンクデータフレームのシグナリングＡフィールドに追加するステップであって、Ｎ≧２である、ステップ、又は、
Ｎ個の送信サブ帯域幅の中のｍ番目の送信サブ帯域幅におけるアップリンクデータフレームのシグナリングＡフィールドに、ｍ番目の送信サブ帯域幅に対応するｍ番目の空間再使用送信シグナリング片を追加するステップであって、ｍ≧１である、ステップ、を含む。
【０１８５】
具体的に、１次局は複数の空間再使用送信シグナリング片を受信するので、１次局は、複数の空間再使用送信シグナリング片を送信されるアップリンクデータフレームのプリアンブル内のシグナリングＡフィールドに追加する。特定の追加方法が、図６の図６Ａ及び図６Ｂに示される。例えば、図６Ａに示すように、１次リンクは２０ＭＨｚ基本帯域幅を有し、各２０ＭＨｚ帯域幅上でＳＩＧＡフィールドが対応する空間再使用送信シグナリングを伝達する。つまり、２０ＭＨｚ帯域幅上のＳＩＧＡフィールドは、異なる空間再使用送信シグナリングを伝達して良い。別の例では、図６Ｂに示すように、１次リンクは２０ＭＨｚ基本サブ帯域幅を有し、２０ＭＨｚ帯域幅上のＳＩＧＡフィールドは全ての空間再使用送信シグナリング片を伝達する。つまり、２０ＭＨｚ帯域幅上のＳＩＧＡフィールドは、同じ空間再使用送信シグナリングを伝達して良い。
【０１８６】
相応して、複数の空間再使用送信シグナリング片を受信すると、再使用送信装置は、再使用送信装置の送信帯域に対応する空間再使用送信シグナリングを使用して、データ送信を実行する。例えば、図６に示すように、再使用送信の間に再使用送信装置により使用される２０ＭＨｚ帯域幅が１次リンクの第２の２０ＭＨｚサブ帯域幅に対応するとき、対応する許容最大干渉電力を得るために、ビットｂ４〜ｂ７に対応する空間再使用送信シグナリングが選択される。次に、再使用送信の間に使用可能な最大送信電力が更に計算される。
【０１８７】
理解されるべきことに、再使用送信装置により使用される送信帯域幅が１次リンクのサブ帯域幅より大きい場合、再使用送信装置は、再使用送信の間に使用可能な最大送信電力を計算するために、再使用送信装置により使用される送信帯域幅を含むサブ帯域幅に対応する複数の空間再使用送信パラメータから最小値を選択する必要がある。例えば、図６に示すように、再使用送信装置は、２０ＭＨｚサブ帯域幅より大きな４０ＭＨｚ送信帯域を使用する。再使用送信装置は、再使用送信装置により使用可能な最大送信電力を計算するために、ビットｂ０〜ｂ７に対応する空間再使用送信パラメータから最小値を選択する必要がある。
【０１８８】
任意で、空間再使用送信シグナリングは、電力指示情報を含む。電力指示情報は、再使用送信装置がデータを送信するために１次リンクの時間周波数リソースのうちの全部又は一部を使用するときに使用可能な最大送信電力を示すために使用される。
【０１８９】
任意で、空間再使用送信シグナリングは、決定パラメータに従い１次アクセスポイントにより決定される。決定パラメータは、１次アクセスポイントが１次局により送信されたアップリンクデータフレームを受信するときに許容される最大干渉電力である。
【０１９０】
１次局は、アップリンクデータフレームを送信するために１次アクセスポイントによりスケジューリングされ、及び空間再使用送信シグナリングを送信されるアップリンクデータフレームに追加して、空間再使用リンクの再使用送信装置が、アップリンクデータフレームから空間再使用送信シグナリングを取得し、及び次に１次リンクに対する干渉を低減するために、空間再使用送信シグナリングに従い、空間再使用リンクに基づきデータ送信処理を実行できるようにする。
【０１９１】
したがって、本発明の実施形態におけるデータ送信方法によると、データ送信中の１次リンクと空間再使用リンクとの間の相互干渉が低減でき、送信品質が向上され得る。
【０１９２】
図７は、本発明の一実施形態における再使用送信装置の観点から記載されるデータ送信方法３００の概略フローチャートである。図７に示すように、方法３００は以下のステップを含む。
【０１９３】
Ｓ３１０。再使用送信装置は、第１空間再使用送信シグナリングを受信する。ここで、第１空間再使用送信シグナリングは、データを送信するために１次リンクの時間周波数リソースの全部又は一部を使用するか否かを決定するために、空間再使用リンクの再使用送信装置により使用される。
【０１９４】
Ｓ３２０。再使用送信装置は、空間再使用送信シグナリングに従い、空間再使用リンクに基づきデータ送信処理を実行する。
【０１９５】
理解されるべきことに、第１空間再使用送信シグナリングは、１次アクセスポイントが第１決定パラメータに従い決定処理を実行した後に得られた決定結果に対応する。決定処理は、空間再使用リンクの再使用送信装置がデータを送信するために１次リンクの時間周波数リソースのうちの全部又は一部を使用することを許可されるか否かを決定するために使用される。
【０１９６】
具体的に、再使用送信装置は、第１空間再使用送信シグナリングを受信する。例えば、第１空間再使用送信シグナリングは、１次アクセスポイントにより１次局へ送信されたトリガフレームから取得されて良く、又は１次局により１次アクセスポイントへ送信されたアップリンクデータフレームから取得されて良い。次に再使用送信装置は、第１空間再使用送信シグナリングに従い、空間再使用リンクに基づきデータ送信処理を実行して良い。例えば、再使用送信装置は、第１空間再使用送信シグナリングから、１次リンク上のデータ送信が実行されている間、空間再使用リンク上の再使用送信が禁止されることを知って良い。或いは、再使用送信装置は、空間再使用送信シグナリングから、再使用送信装置がデータを送信するために１次リンクの時間周波数リソースのうちの全部又は一部を使用することを、１次アクセスポイントが許可することを知る。
【０１９７】
したがって、本発明の実施形態におけるデータ送信方法によると、データ送信中の１次リンクと空間再使用リンクとの間の相互干渉が低減でき、送信品質が向上され得る。
【０１９８】
任意で、第１空間再使用送信シグナリングは、再使用送信装置がデータを送信するために１次リンクの時間周波数ドメインリソースのうちの全部又は一部を使用することを禁止するために使用される第２空間再使用送信シグナリングを含む。
【０１９９】
再使用送信装置が、空間再使用送信シグナリングに従い、空間再使用リンクに基づきデータ送信処理を実行することは、
再使用送信装置により、第２空間再使用送信シグナリングに従い、データを送信するために時間周波数リソースのうちの全部又は一部を使用することを断念するステップ、を含む。
【０２００】
任意で、第１空間再使用送信シグナリングは、再使用送信装置がデータを送信するために１次リンクの時間周波数ドメインリソースのうちの全部又は一部を使用することを許可するために使用される第３空間再使用送信シグナリングを含む。
【０２０１】
再使用送信装置が、空間再使用送信シグナリングに従い、空間再使用リンクに基づきデータ送信処理を実行することは、
再使用送信装置により、第３空間再使用送信シグナリングに従い、空間再使用リンクに基づきデータ送信処理を実行するステップ、を含む。
【０２０２】
例えば、再使用送信装置が、空間再使用送信シグナリングから、再使用送信装置が同時送信を実行するために１次リンクの時間周波数リソースのうちの全部又は一部を使用可能であることを知ると、再使用送信装置は、空間再使用送信シグナリングに含まれる空間再使用送信パラメータに従いデータを送信して良く、又はリンクに関する他の情報を参照して、この同時送信機会を断念することを選択して良い。
【０２０３】
任意で、Ｎ個の空間再使用送信シグナリング片があり、Ｎ個の空間再使用送信シグナリング片は、１次リンクのＮ個の送信サブ帯域幅と１対１に対応し、各空間再使用送信シグナリング片は、再使用送信装置が対応する送信サブ帯域幅を使用することを許可されるか否かを決定するために使用され、Ｎ≧２である。
【０２０４】
再使用送信装置が、第１空間再使用送信シグナリングに従い、空間再使用リンクに基づきデータ送信処理を実行することは、
再使用送信装置により、Ｎ個の第１空間再使用送信シグナリング片に従い、空間再使用リンクに基づきデータ送信処理を実行するステップ、を含む。
【０２０５】
再使用送信装置は、空間再使用送信シグナリングを伝達するトリガフレーム又はアップリンクデータフレームを受信し、トリガフレーム又はアップリンクデータフレームが現在のＢＳＳの送信フレームであるか否かを決定する。トリガフレーム又はアップリンクデータフレームが現在のＢＳＳの送信フレームではない場合、再使用送信装置は、トリガフレーム又はアップリンクデータフレーム内で伝達される空間再使用送信シグナリングに従い、対応するデータ処理を実行する。例えば、再使用送信装置は、空間再使用送信パラメータを伝達するシグナリングを受信した場合、再使用送信装置は、空間再使用送信パラメータに従い、空間再使用送信中に許可される最大送信電力を計算して良い。ＰＴｘＳＲ＿ｍａｘ＝〜Ｉｍａｘ＿ｌｅｖｅｌ・ＬＳＲ。式中、〜Ｉｍａｘ＿ｌｅｖｅｌは、再使用送信装置の送信帯域幅に対応する空間再使用送信パラメータに従い決定される許容最大干渉電力である。例えば、空間再使用送信の間に使用される送信帯域幅に対応する２０ＭＨｚ帯域幅が１次リンクの第２の２０ＭＨｚ送信サブ帯域幅である場合、対応する許容最大干渉電力を得るために、ビットｂ４〜ｂ７に対応する空間再使用送信パラメータが選択される。
【０２０６】
再使用送信装置がデータを送信する前に、クリア・チャネル・アセスメント（ＣＣＡ）が実行される。ＣＣＡ検出が成功した場合、ランダムバックオフが終了した後に、ＰＴｘＳＲ＿ｍａｘより大きくない送信電力を用いてパケットが送信されて良い。ＣＣＡ検出方法は、既存標準、例えば１１ｎ又は１１ａｃの中のＣＣＡ検出方法であって良く、又は別の新しい検出方法であって良い。これは、本発明において限定されない。例えば、再使用送信装置は、受信１次リンク信号のＲＳＳＩ（Received  Signal  Strength  Indication、受信信号強度指示子）値に従い、ＣＣＡ閾を設定して良い。任意で、再使用送信装置は、１次リンク上で受信したアップリンクデータフレーム内のＳＩＧＡフィールドの終了時又は終了時の前のＳ秒間に対応するＲＳＳＩ値をＣＣＡ検出閾に設定する。
【０２０７】
別の例では、再使用送信装置は、２個の空間再使用送信シグナリング片を受信する。同時送信は、第１の２０ＭＨｚ送信サブ帯域幅上で禁止され、同時送信は第２の２０ＭＨｚ送信サブ帯域幅上で許可される。したがって、再使用送信装置は、１次リンクの第２の２０ＭＨｚ送信サブ帯域幅を用いて再使用送信を実行できる。
【０２０８】
更に別の例では、再使用送信装置が再使用送信を実行するために４０ＭＨｚ帯域幅を使用し、１次リンクの送信帯域幅が２０ＭＨｚサブ帯域幅、１０ＭＨｚサブ帯域幅、及び１０ＭＨｚサブ帯域幅に分割される場合、再使用送信装置は、同時送信中に使用可能な最大送信電力を計算するために、２０ＭＨｚ帯域幅、１０ＭＨｚ帯域幅、及び１０ＭＨｚ帯域幅を含む基本サブ帯域幅セットに対応する最大干渉電力から最小値を選択する必要がある。
【０２０９】
任意で、空間再使用送信シグナリングは、第１決定パラメータに従い１次アクセスポイントにより決定される。第１決定パラメータは、１次局により使用されたアップリンク送信パラメータに従い、１次アクセスポイントにより決定される。アップリンク送信パラメータは、送信電力、変調及び符号化方式ＭＣＳ、及び送信帯域幅を含む。
【０２１０】
理解されるべきことに、第１決定パラメータは、ここでは、関連パラメータであって、該関連パラメータに従い１次アクセスポイントが決定処理を実行する、関連パラメータとしても考えられる。例えば、第１決定パラメータは、１次局の送信電力、変調及び符号化方式ＭＣＳ、及び送信帯域幅であって良く、又は１次アクセスポイントのＭＣＳ及び受信電力であって良い。
【０２１１】
任意で、決定処理の後に得られた結果が、空間再使用リンクの再使用送信装置がデータを送信するために１次リンクの時間周波数リソースのうちの全部又は一部を使用することを許可されることであるとき、空間再使用送信シグナリングは電力指示情報を含む。
【０２１２】
再使用送信装置が、第１空間再使用送信シグナリングに従い、空間再使用リンクに基づきデータ送信処理を実行することは、
再使用送信装置により、電力指示情報に従い、再使用送信装置がデータを送信するために１次リンクの時間周波数リソースのうちの全部又は一部を使用するときに使用可能な最大送信電力を決定し、最大送信電力より大きくない送信電力を用いてデータを送信するステップ、を含む。
【０２１３】
具体的に、再使用送信装置により受信された第１空間再使用送信シグナリングが、空間再使用リンクの再使用送信が許可されることであるとき、第１空間再使用送信シグナリングは、電力指示情報を伝達して良い。ここで、電力指示情報は、１次アクセスポイントがアップリンクデータフレームを受信するときに許容される最大干渉電力であって良い。再使用送信装置は、データ送信中の１次リンクと空間再使用リンクとの間の相互干渉を回避するために、最大干渉電力に従い、再使用送信中に使用可能な最大送信電力を決定して良い。
【０２１４】
任意で、再使用送信装置及び１次アクセスポイントは、異なる基本サービスセットＢＳＳに属する。
【０２１５】
理解されるべきことに、本発明の本実施形態では、再使用送信装置及び１次アクセスポイントは、異なるＢＳＳに属して良く、又は同じＢＳＳに属して良い。しかしながら、本実施形態では、前述の記載は全て、再使用送信装置及び１次アクセスポイントが異なるＢＳＳに属することを前提として与えられた。以下は、再使用送信装置及び１次アクセスポイントが同じＢＳＳに属する場合を詳細に記載する。
【０２１６】
任意で、再使用送信装置及び１次アクセスポイントは、同じ基本サービスセットＢＳＳに属し、空間再使用リンクは、該ＢＳＳの中の局間Ｄ２Ｄ送信のために使用される。
【０２１７】
つまり、１次アクセスポイント及び再使用送信装置が同じＢＳＳに属するとき、１次リンクはＢＳＳの中のアップリンクマルチユーザＵＬ  ＭＵのために使用され、空間再使用リンクは同じＢＳＳの中の局間の装置対装置（Ｄ２Ｄ）送信のために使用される。この場合、再使用送信装置は、Ｄ２Ｄ送信局としても参照されて良く、ＳＲ送信はＤ２Ｄ送信である。
【０２１８】
任意で、再使用送信装置が、空間再使用送信シグナリングに従い、空間再使用リンクに基づきデータ送信処理を実行することは、
再使用送信装置により、Ｄ２Ｄ送信指示情報をＤ２Ｄ送信中のデータフレームに追加するステップであって、Ｄ２Ｄ送信指示情報は、再使用送信装置を除くＢＳＳ内のＤ２Ｄ局がこのＤ２Ｄ送信機会を使用することを禁止するために使用される、ステップ、を含む。
【０２１９】
具体的に、Ｄ２Ｄ送信局は、空間再使用送信シグナリングを伝達するトリガフレーム又はアップリンクデータフレームを受信し、トリガフレーム又はアップリンクデータフレームがＢＳＳの送信フレームであるか否かを決定する。トリガフレーム又はアップリンクデータフレームがＢＳＳの送信フレームである場合、Ｄ２Ｄ送信中に許可される最大送信電力は、トリガフレーム又はアップリンクデータフレーム内で伝達される空間再使用送信シグナリングに従い計算される。トリガフレーム又はアップリンクデータフレームがＢＳＳの送信フレームではない場合、Ｄ２Ｄ送信中に許可される最大送信電力は、既存の標準手順に従い計算されて良く、又は前述の実施形態における手順に従い計算されて良い。これは、本発明において限定されない。追加で、Ｄ２Ｄ送信局は、現在の送信がＤ２Ｄ送信であるか否かを示すために、送信フレームのプリアンブルの中のシグナリングＡフィールド内の１ビット指示情報を使用して良い。例えば、「１」は送信フレームがＤ２Ｄデータフレームであることを示し、「０」は送信フレームが共通データフレームであることを示す。ＢＳＳの中の別のＤ２Ｄ送信局がＢＳＳのトリガフレームを受信した後に、該別のＤ２Ｄ送信局は、前述の手順に従い、Ｄ２Ｄ送信中に許可される最大送信電力を計算し、ＣＣＡ検出が後に実行される。ＣＣＡ検出が成功し、別のＤ２Ｄ送信局は、ランダムバックオフ処理の中でＢＳＳのデータフレームを更に受信すると仮定する。この場合、別のＤ２Ｄ送信局が、データフレーム内の１ビット指示情報が「１」であると決定した場合、該別のＤ２Ｄ送信局は、Ｄ２Ｄデータフレームの送信が終了する前に、この再使用送信機会を断念する。或いは、別のＤ２Ｄ送信局が、１ビット指示情報が「０」であると決定した場合、該別のＤ２Ｄ送信局は、再使用手順を実行し続ける。
【０２２０】
任意で、再使用送信装置が、第１決定パラメータに従い、再使用送信装置がデータを送信するために１次リンクの時間周波数リソースのうちの全部又は一部を使用するときに使用可能な最大送信電力を決定することは、
式ＰＴｘＳＲ＿ｍａｘ＝〜Ｉｍａｘ＿ｌｅｖｅｌ・ＬＳＲに従い、最大送信電力を決定するステップであって、ＰＴｘＳＲ＿ｍａｘは最大送信電力を示し、〜Ｉｍａｘ＿ｌｅｖｅｌは最大干渉電力を示し、ＬＳＲは再使用送信装置から１次アクセスポイントへの送信中の損失を示す、ステップ、を含む。
【０２２１】
例えば、再使用送信装置は、ＡＰ１から受信されるビーコンフレームの受信電力に従い計算を実行する。ＬＳＲ＝ＰＴｘＡＰ１／ＰＲｘＡＰ１、ここで、ＰＴｘＡＰ１は送信電力であり、該送信電力を用いてＡＰ１がビーコンフレームを送信し、〜Ｉｍａｘ＿ｌｅｖｅｌは、空間再使用送信シグナリングに従い決定される許容最大干渉電力である。例えば、プリセットルールに従い、空間再使用送信シグナリングが「００１０」である場合、対応する許容最大干渉電力は〜Ｉｍａｘ＿ｌｅｖｅｌ＝−７０ｄＢｍである。履歴情報に従い得られた送信損失がＬＳＲ＝７７ｄＢであると仮定すると、再使用送信中に許可される最大送信電力はＰＴｘSR_max＝７ｄＢｍである。
【０２２２】
任意で、通信システムは、第三者装置を更に含み、方法は、
再使用送信装置により、第４空間再使用送信シグナリングを生成するステップと、
再使用送信装置により、第４空間再使用送信シグナリングをデータ送信中のデータフレームに追加するステップであって、第４空間再使用送信シグナリングを受信すると第三者装置がこの再使用送信機会を使用することを断念するようにする、ステップと、を含む。
【０２２３】
具体的に、データ送信処理において、再使用送信装置は、第三者装置がこの再使用送信機会を使用することを望まない。したがって、再使用送信装置は、第４空間再使用送信シグナリングを、送信されるデータフレームに追加する。この場合、通信システムの中に第三者装置があり、第三者装置が１次アクセスポイント及び再使用送信装置の両者に比較的近い場合、第三者装置は、リッスンにより１次アクセスポイントの空間再使用送信シグナリングを取得するだけでなく、リッスンにより再使用送信装置により送信された第４空間再使用送信シグナリングも取得し得る。この場合、第三者装置リッスンにより１次リンク上の再使用送信を許可するシグナリングを得た場合でも、第４空間再使用送信シグナリングが、第三者装置が再使用送信装置と同時に再使用送信を実行することを禁止するので、第三者装置はこの再使用送信機会を使用できない。
【０２２４】
したがって、本発明の実施形態におけるデータ送信方法によると、１次リンクと空間再使用リンクとの間の相互干渉が低減でき、送信品質が向上され得る。
【０２２５】
以上は、１次リンクがアップリンクである場合において、本発明の実施形態におけるデータ送信方法を記載した。１次リンクがダウンリンクである場合の本発明の実施形態におけるデータ送信方法は、１次リンクがアップリンクである場合の方法と同様である。簡潔さのために、以下は簡単な説明を行う。
【０２２６】
先ず、１次アクセスポイントは、１次リンクの履歴情報又は１次アクセスポイントがダウンリンクフレームを送信するときに１次アクセスポイントにより使用される送信パラメータに従い、決定処理を実行して、再使用送信装置の再使用送信が許可されるか否かを決定する。
【０２２７】
例えば、１次アクセスポイントは、ダウンリンクデータフレームが送信されるときに使用されるＭＣＳに従い、決定処理を実行する。ＭＣＳのインデックスが５以上である場合、再使用送信装置の再使用送信は許可される。或いは、ＭＣＳのインデックスが５未満である場合、再使用送信装置の再使用送信は禁止される。
【０２２８】
理解されるべきことに、１次リンクがアップリンクである場合と同様に、ＭＣＳのインデックスが５である例のみが、説明のために使用される。本発明の本実施形態はこれに限定されない。例えば、ＭＣＳのインデックスが３以上である場合、再使用送信は許可され、ＭＣＳのインデックスが３未満である場合、再使用送信は禁止される。追加で、ＭＣＳのインデックスはプリセット閾と更に比較されて良い。
【０２２９】
次に、１次アクセスポイントは、決定処理の後に得られた決定結果に従い空間再使用送信シグナリングを生成し、空間再使用送信シグナリングをダウンリンクフレームに追加し、ダウンリンクフレームを送信する。したがって、再使用送信装置は、ダウンリンクフレームから空間再使用送信シグナリングを取得し、空間再使用送信シグナリングに従い、空間再使用リンクに基づきデータ送信処理を実行できる。
【０２３０】
理解されるべきことに、空間再使用送信シグナリングを生成する処理は、１次リンクがアップリンクである場合における処理と同様である。したがって、１つの空間再使用シグナリング片が存在して良く、又は複数の空間再使用シグナリング片が存在して良い。
【０２３１】
相応して、空間再使用リンクの再使用送信装置では、１次リンクがダウンリンクであるとき、再使用送信装置は、１次アクセスポイントにより１次局へ送信されたダウンリンクフレームから空間再使用送信シグナリングを取得して良い。
【０２３２】
本発明の本実施形態におけるデータ送信方法に関して、１次リンクがアップリンクである場合、空間再使用リンクの再使用送信装置について、空間再使用送信シグナリングを取得する少なくとも３つの方法が含まれる。つまり、空間再使用送信シグナリングは、１次アクセスポイントにより１次局へ送信されたトリガフレームから取得され、又は１次局により１次アクセスポイントへ送信されたアップリンクデータフレームから取得され、又は１次アクセスポイントから１次局へ送信されたダウンリンクデータフレームから取得される。
【０２３３】
同様に、１次リンクがダウンリンクであるとき、再使用送信装置が１次アクセスポイントにより送信されたダウンリンクフレームから空間再使用送信パラメータを取得した後に、再使用送信装置が、空間再使用送信パラメータに従い、データを送信するために１次リンクの時間周波数リソースのうちの全部又は一部を使用する場合、再使用送信装置は、空間再使用リンクの空間再使用送信シグナリング（又は第４空間再使用送信シグナリング）を生成して良い。空間再使用送信シグナリングは、通信システムの中の第三者装置が、該第三者装置が空間再使用送信シグナリングを受信したときに、この再使用送信機会を使用することを禁止するために使用される。
【０２３４】
留意すべきことに、再使用送信装置が第三者装置と同時に再使用送信を実行することを望まない場合、再使用送信装置は、任意の決定処理を実行せずに、第４空間再使用送信シグナリングを直接生成して良い。追加で、再使用送信装置は、決定処理の後に得られた決定結果に従い、第４空間再使用送信シグナリングを生成して良い。決定処理方法及び第４空間再使用送信シグナリングを生成する処理は、１次リンクがアップリンクである場合におけるものと同様である。詳細事項は、ここで再び記載されない。
【０２３５】
同様に、１次リンクがダウンリンクであるとき、任意で、再使用送信装置は、１次リンク上で受信したダウンリンクフレーム内のＳＩＧＡフィールドの終了時又は終了時の前のＳ秒間に対応するＲＳＳＩ値をＣＣＡ検出閾に設定する。
【０２３６】
したがって、本発明の本実施形態におけるデータ送信方法によると、再使用送信装置は、１次リンクの空間再使用送信シグナリングを取得し、空間再使用リンクに基づきデータ送信処理を実行する。したがって、空間再使用リンクは、１次リンク上のデータ送信に対して干渉を生じない、又は、引き起こされた干渉が１次リンクの許容範囲内に含まれる場合にデータが送信されるようにする。したがって、１次リンクと空間再使用リンクとの間の干渉が低減され、送信品質は向上され得る。
【０２３７】
図１〜図７を参照して、以上は、本発明の実施形態におけるデータ送信方法を詳細に記載した。図８〜図１０を参照して、以下は、本発明の実施形態におけるデータ送信機器を記載する。
【０２３８】
図８は本発明の一実施形態によるデータ送信機器４００の概略ブロック図である。図８に示すように、機器４００は、
決定パラメータに従い決定処理を実行するよう構成される判定モジュール４１０であって、決定処理は、空間再使用リンクの再使用送信装置が、データを送信するために１次リンクの時間周波数リソースの全部又は一部を使用することを許可されるか否かを決定するために使用される、判定モジュール４１０と、
判定モジュールが決定処理を実行した後に得られた決定結果に従い、空間再使用送信シグナリングを生成するよう構成される生成モジュール４２０と、
再使用送信装置が、空間再使用送信シグナリングに従い、空間再使用リンクに基づきデータ送信処理を実行できるように、生成モジュールにより生成された空間再使用送信シグナリングを送信するよう構成される送信モジュール４３０と、を含む。
【０２３９】
任意で、生成モジュールは、再使用送信装置がデータを送信するために１次リンクの時間周波数ドメインリソースのうちの全部又は一部を使用することを禁止されることを示すために使用される第１空間再使用送信シグナリングを生成する、又は、
再使用送信装置がデータを送信するために１次リンクの時間周波数リソースのうちの全部又は一部を使用することを許可されることを示すために使用される第２空間再使用送信シグナリングを生成する、よう更に構成される。
【０２４０】
任意で、判定モジュールは、Ｎ個の決定パラメータに従い決定処理を実行するよう更に構成される。Ｎ個の決定パラメータは、１次リンクのＮ個の送信サブ帯域幅と１対１に対応し、各決定パラメータは、再使用送信装置が対応する送信サブ帯域幅を使用することを許可されるか否かを決定するために使用され、Ｎ≧２である。
【０２４１】
具体的に、生成モジュールは、決定処理の後に得られた決定結果に従い、Ｎ個の空間再使用送信シグナリングを生成するよう更に構成される。Ｎ個の空間再使用送信シグナリング片は、Ｎ個の送信サブ帯域幅と１対１に対応する。
【０２４２】
任意で、１次局が、アップリンクデータフレームを送信するときにアップリンクデータフレームに空間再使用送信シグナリングを追加し、及び再使用送信装置がアップリンクデータフレームから空間再使用送信シグナリングを取得できるように、送信モジュールは、１次局へ空間再使用送信シグナリングを送信するよう更に構成される。
【０２４３】
任意で、生成モジュールは、決定処理の後に得られた結果が、再使用送信装置がデータを送信するために１次リンクの時間周波数リソースのうちの全部又は一部を使用することを許可されることであるとき、電力指示情報を含む空間再使用送信シグナリングを生成するよう更に構成される。電力指示情報は、再使用送信装置がデータを送信するために１次リンクの時間周波数リソースのうちの全部又は一部を使用するときに使用可能な最大送信電力を決定するために、再使用送信装置により使用される。
【０２４４】
任意で、決定モジュールは、判定モジュールが決定処理を実行する前に、１次局により使用される送信パラメータに従い決定パラメータを決定するよう構成される。送信パラメータは、送信電力、変調及び符号化方式ＭＣＳ、及び送信帯域幅を含む。
【０２４５】
任意で、判定モジュールは、機器が１次局により送信されたアップリンクデータフレームを受信するときに許容される最大干渉電力を決定するよう更に構成される。
【０２４６】
任意で、通信システムは、少なくとも２つの１次局を含み、決定モジュールは、
機器が少なくとも２つの１次局のうちの全部により送信されたアップリンクデータフレームを受信するときに許容される最大干渉電力密度を決定し、
最大干渉電力密度から最小値を決定し、
最小値に従い、最大干渉電力を決定する、よう更に構成される。
【０２４７】
任意で、決定モジュールは、式
【数５】
0006559891.tif 000006
に従い、少なくとも２つの１次局の中の局ｋにより送信されたアップリンクデータフレームが受信されるときに許容される最大干渉電力密度を決定するよう更に構成され、ここで、
ｉｓｄＳＴＡｋは、機器が局ｋにより送信されたアップリンクデータフレームを受信するときに許容される最大干渉電力密度を示し、ＰＴｘＳＴＡｋはアップリンクデータフレームを送信するために局ｋにより使用される送信電力を示し、ＳＩＮＲｒｅｑｕｉｒｅｄＳＴＡｋは、機器が局ｋにより送信されたアップリンクデータフレームを受信するときに要求される最小信号対干渉及び雑音比を示し、ＢＷＳＴＡｋは、局ｋがアップリンクデータフレームを送信するときに使用される送信帯域幅を示す。
【０２４８】
任意で、決定モジュールは、
式Ｉｍａｘ＿ｌｅｖｅｌ＝ＳＴＡｋｍｉｎ{ｉｓｄＳＴＡｋ}・ＢＷｔｏｔａｌ／Ｒｅｄｕｎｄａｎｃｙに従い、１次リンクの送信帯域幅上の最大干渉電力を決定する、又は、
式Ｉｍｍａｘ＿ｌｅｖｅｌ＝ＳＴＡｋ∈｛ｍthｓｕｂ−ｂａｎｄ｝ｍｉｎ{ｉｓｄＳＴＡｋ}・ＢＷｍ／Ｒｅｄｕｎｄａｎｃｙに従い、Ｎ個の送信サブ帯域幅の中のｍ番目のサブ帯域幅上の最大干渉電力を決定する、よう更に構成され、ここで、
Ｉｍａｘ＿ｌｅｖｅｌは最大干渉電力を示し、ＳＴＡｋｍｉｎ{ｉｓｄＳＴＡｋ}は機器により最大干渉電力密度から決定された最小値を示し、ＢＷｔｏｔａｌは１次リンクの送信帯域幅を示し、Ｒｅｄｕｎｄａｎｃｙはシステムの中で予約された冗長性を示し、Ｉｍｍａｘ＿ｌｅｖｅｌはｍ番目のサブ帯域幅上の最大干渉電力を示し、ＢＷｍはＮ個の送信サブ帯域幅の中のｍ番目のサブ帯域幅を示し、Ｎ≧２、及び１≦ｍ≦Ｎである。
【０２４９】
任意で、送信モジュールは、１次局へトリガフレームを送信するよう更に構成される。トリガフレームのシグナリングＡフィールド又は負荷情報は、空間再使用送信シグナリングを伝達する。
【０２５０】
本発明の本実施形態におけるデータ送信機器４００は、本発明の実施形態の中のデータ送信方法における１次アクセスポイントに対応して良い。機器４００内のモジュールの前述の工程及び／又は機能は、図２の方法の対応する手順を実施するために使用されて良い。簡潔さのために、詳細事項はここで再び記載されない。
【０２５１】
本発明の本実施形態におけるデータ送信機器は、空間再使用リンクの再使用送信装置がデータを送信するために１次リンクの時間周波数リソースのうちの全部又は一部を使用することを許可されるか否かを決定するために決定パラメータに従い決定処理を実行し、決定結果に対応する空間再使用送信シグナリングを生成する。最後に、空間再使用送信シグナリングを取得した後に、再使用送信装置が、空間再使用リンクに基づきデータ送信処理を実行できるように、機器は、空間再使用送信シグナリングを送信する。したがって、本発明の実施形態におけるデータ送信機器によると、データ送信中の１次リンクと空間再使用リンクとの間の相互干渉が低減でき、送信品質が向上され得る。
【０２５２】
図９は本発明の一実施形態によるデータ送信機器５００の概略ブロック図である。図９に示すように、機器５００は、
１次アクセスポイントにより送信された空間再使用送信シグナリングを受信するよう構成される受信モジュール５１０であって、空間再使用送信シグナリングは、１次アクセスポイントが決定パラメータに従い決定処理を実行した後に得られた決定結果に対応し、決定処理は、空間再使用リンクの再使用送信装置がデータを送信するために１次リンクの時間周波数リソースのうちの全部又は一部を使用することを許可されるか否かを決定するために使用される、受信モジュール５１０と、
アップリンクデータフレームを１次アクセスポイントへ送信するよう構成される送信モジュール５２０であって、アップリンクデータフレームは空間再使用送信シグナリングを伝達し、空間再使用リンクの再使用送信装置が、アップリンクデータフレームから空間再使用送信シグナリングを取得し、及び空間再使用送信シグナリングに従い、空間再使用リンクに基づきデータ送信処理を実行できるようにする、送信モジュール５２０と、を含む。
【０２５３】
任意で、空間再使用送信シグナリングは、再使用送信装置がデータを送信するために１次リンクの時間周波数リソースのうちの全部又は一部を使用することを禁止されることを示すために使用される第１空間再使用送信シグナリングを含む、又は、
空間再使用送信シグナリングは、再使用送信装置がデータを送信するために１次リンクの時間周波数リソースのうちの全部又は一部を使用することを許可されることを示すために使用される第２空間再使用送信シグナリングを含む。
【０２５４】
任意で、Ｎ個の空間再使用送信シグナリング片があり、Ｎ個の空間再使用送信シグナリング片が１次リンクのＮ個の送信サブ帯域幅と１対１に対応するとき、各空間再使用送信シグナリング片は、再使用送信装置が対応する送信サブ帯域幅を使用することを許可されるか否かを決定するために使用され、Ｎ≧２である。送信モジュールは、
Ｎ個の空間再使用送信シグナリングをＮ個の送信サブ帯域幅の各々におけるアップリンクデータフレームのシグナリングＡフィールドに追加し、Ｎ≧２である、又は、
Ｎ個の送信サブ帯域幅の中のｍ番目の送信サブ帯域幅におけるアップリンクデータフレームのシグナリングＡフィールドに、ｍ番目の送信サブ帯域幅に対応するｍ番目の空間再使用送信シグナリング片を追加し、ｍ≧１である、よう更に構成される。
【０２５５】
任意で、空間再使用送信シグナリングは、電力指示情報を含む。電力指示情報は、再使用送信装置がデータを送信するために１次リンクの時間周波数リソースのうちの全部又は一部を使用するときに使用可能な最大送信電力を示すために使用される。
【０２５６】
任意で、空間再使用送信シグナリングは、決定パラメータに従い１次アクセスポイントにより決定される。決定パラメータは、１次アクセスポイントが機器により送信されたアップリンクデータフレームを受信するときに許容される最大干渉電力である。
【０２５７】
本発明の本実施形態におけるデータ送信機器５００は、本発明の実施形態の中のデータ送信方法における１次局に対応して良い。機器５００内のモジュールの前述の工程及び／又は機能は、図５の方法の対応する手順を実施するために使用されて良い。簡潔さのために、詳細事項はここで再び記載されない。
【０２５８】
本発明の本実施形態におけるデータ送信機器５００は、１次アクセスポイントへ送信されるアップリンクデータフレームに空間再使用送信シグナリングを追加し、再使用送信装置がアップリンクデータフレームから空間再使用送信シグナリングを取得でき、空間再使用リンクに基づきデータ送信処理を実行するようにする。したがって、１次リンクと空間再使用リンクとの間の相互干渉が低減でき、送信品質は向上され得る。
【０２５９】
図１０は本発明の一実施形態によるデータ送信機器６００の概略ブロック図である。図１０に示すように、機器６００は、
第１空間再使用送信シグナリングを受信するよう構成される受信モジュール６１０であって、第１空間再使用送信シグナリングは、１次アクセスポイントが第１決定パラメータに従い決定処理を実行した後に得られた決定結果に対応し、決定処理は、空間再使用リンクの機器がデータを送信するために１次リンクの時間周波数リソースのうちの全部又は一部を使用することを許可されるか否かを決定するために使用される、受信モジュール６１０と、
第１空間再使用送信シグナリングに従い、空間再使用リンクに基づきデータ送信処理を実行するよう構成される処理モジュール６２０と、を含む。
【０２６０】
任意で、空間再使用送信シグナリングが、機器がデータを送信するために１次リンクの時間周波数ドメインリソースのうちの全部又は一部を使用することを禁止するために使用される第２空間再使用送信シグナリングを含むとき、処理モジュールは、第２空間再使用送信シグナリングに従い、データを送信するために１次リンクの時間周波数リソースのうちの全部又は一部を使用することを断念するよう更に構成される。
【０２６１】
任意で、空間再使用送信シグナリングが、機器がデータを送信するために１次リンクの時間周波数ドメインリソースのうちの全部又は一部を使用することを許可するために使用される第３空間再使用送信シグナリングを含むとき、処理モジュールは、第３空間再使用送信シグナリングに従い、空間再使用リンクに基づきデータ送信処理を実行するよう更に構成される。
【０２６２】
任意で、Ｎ個の第１空間再使用送信シグナリング片があり、Ｎ個の第１空間再使用送信シグナリング片が１次リンクのＮ個の送信サブ帯域幅と１対１に対応するとき、各空間再使用送信シグナリング片は、機器が対応する送信サブ帯域幅を使用することを許可されるか否かを決定するために使用され、Ｎ≧２である。
【０２６３】
処理モジュールは、Ｎ個の空間再使用送信シグナリング片に従い、空間再使用リンクに基づきデータ送信処理を実行するよう更に構成される。
【０２６４】
任意で、空間再使用送信シグナリングは、第１決定パラメータに従い１次アクセスポイントにより決定される。第１決定パラメータは、１次局により使用された送信パラメータに従い、１次アクセスポイントにより決定される。送信パラメータは、送信電力、変調及び符号化方式ＭＣＳ、及び送信帯域幅を含む。
【０２６５】
任意で、機器６００は、
空間再使用送信シグナリングが第１決定パラメータを含むとき、第１決定パラメータに従い、１次リンクの時間周波数リソースのうちの全部又は一部がデータを送信するために使用されるときに使用可能な最大送信電力を決定するよう構成される決定モジュール、を更に含む。
【０２６６】
機器は、送信モジュールを更に含む。送信モジュールは、最大送信電力より大きくない送信電力を使用することにより、データを送信するよう更に構成される。
【０２６７】
任意で、機器及び１次アクセスポイントは、異なる基本サービスセットＢＳＳに属する。
【０２６８】
任意で、機器及び１次アクセスポイントは、同じ基本サービスセットＢＳＳに属し、空間再使用リンクは、該ＢＳＳの中の局間Ｄ２Ｄ送信のために使用される。
【０２６９】
任意で、処理モジュールは、Ｄ２Ｄ送信中にデータフレームにＤ２Ｄ送信指示情報を追加するよう更に構成される。Ｄ２Ｄ送信指示情報は、機器以外のＢＳＳの中のＤ２Ｄ局がこのＤ２Ｄ送信機会を使用することを禁止するために使用される。
【０２７０】
任意で、第１決定パラメータは、１次アクセスポイントが１次局により送信されたアップリンクデータフレームを受信するときに許容される最大干渉電力である。
【０２７１】
任意で、決定モジュールは、式ＰＴｘＳＲ＿ｍａｘ＝〜Ｉｍａｘ＿ｌｅｖｅｌ・ＬＳＲに従い最大送信電力を決定するよう更に構成され、ここで、
ＰＴｘＳＲ＿ｍａｘは第１最大送信電力を示し、〜Ｉｍａｘ＿ｌｅｖｅｌは最大干渉電力を示し、ＬＳＲは機器から１次アクセスポイントへの送信中の損失を示す。
【０２７２】
任意で、通信システムは、第三者装置を更に含む。機器６００は、生成モジュールを更に含む。生成モジュールは、第４空間再使用送信シグナリングを生成するよう構成される。
【０２７３】
処理モジュールは、第４空間再使用送信シグナリングをデータ送信中のデータフレームに追加し、第４空間再使用送信シグナリングを受信すると第三者装置がこの再使用送信機会を使用することを断念するようにする、よう更に構成される。
【０２７４】
本発明の本実施形態におけるデータ送信機器６００は、本発明の実施形態の中のデータ送信方法における再使用送信装置に対応して良い。機器６００内のモジュールの前述の工程及び／又は機能は、図７の方法の対応する手順を実施するために使用されて良い。簡潔さのために、詳細事項はここで再び記載されない。
【０２７５】
本発明の本実施形態におけるデータ送信機器６００は、空間再使用送信シグナリングに従い、空間再使用リンクに基づきデータ送信を実行するために、１次アクセスポイント又は１次局により送信された空間再使用送信シグナリングを受信する。したがって、１次リンクと空間再使用リンクとの間の相互干渉が低減でき、送信品質は向上され得る。
【０２７６】
図１１は、本発明の一実施形態によるデータ送信装置７００である。図１１に示すように、装置７００は、
バス７１０と、
バス７１０に接続されたプロセッサ７２０と、
バス７１０に接続されたメモリ７３０と、
バス７１０に接続された通信機７４０と、を含む。
【０２７７】
プロセッサ７２０は、決定パラメータに従い、空間再使用リンクの再使用送信装置がデータを送信するために１次リンクの時間周波数リソースのうちの全部又は一部を使用することを許可されるか否かについて決定処理を実行し、決定処理の後に得られた結果に従い空間再使用送信シグナリングを生成し、及び通信機７４０を使用することにより空間再使用送信シグナリングを送信するために、バス７１０を使用することによりメモリ７３０に格納されたプログラムを呼び出す。
【０２７８】
任意で、空間再使用送信シグナリングは、再使用送信装置がデータを送信するために１次リンクの時間周波数リソースのうちの全部又は一部を使用することを禁止されることを示すために使用される第１空間再使用送信シグナリングを含む、又は、
空間再使用送信シグナリングは、再使用送信装置がデータを送信するために１次リンクの時間周波数リソースのうちの全部又は一部を使用することを許可されることを示すために使用される第２空間再使用送信シグナリングを含む。
【０２７９】
任意で、プロセッサ７２０は、具体的に、Ｎ個の決定パラメータに従い決定処理を実行するよう構成される。Ｎ個の決定パラメータは、１次リンクのＮ個の送信サブ帯域幅と１対１に対応し、各決定パラメータは、再使用送信装置が対応する送信サブ帯域幅を使用することを許可されるか否かを決定するために使用され、Ｎ≧２である。プロセッサ７２０は、決定処理の後に得られた決定結果に従い、Ｎ個の空間再使用送信シグナリング片を生成する。Ｎ個の空間再使用送信シグナリング片は、Ｎ個の送信サブ帯域幅と１対１に対応する。
【０２８０】
任意で、１次局が、アップリンクデータフレームを送信するときにアップリンクデータフレームに空間再使用送信シグナリングを追加し、及び再使用送信装置がアップリンクデータフレームから空間再使用送信シグナリングを取得できるように、通信機７４０は、具体的に、１次局へ空間再使用送信シグナリングを送信するよう構成される。
【０２８１】
任意で、決定処理の後に得られた決定結果が、再使用送信装置がデータを送信するために１次リンクの時間周波数リソースのうちの全部又は一部を使用することを許可されることであるとき、空間再使用送信シグナリングは電力指示情報を含む。電力指示情報は、再使用送信装置がデータを送信するために１次リンクの時間周波数リソースのうちの全部又は一部を使用するときに使用可能な最大送信電力を示すために使用される。
【０２８２】
任意で、プロセッサ７２０は、具体的に、決定パラメータに従い決定処理を実行する前に、１次局により使用される送信パラメータに従い決定パラメータを決定するよう構成される。送信パラメータは、送信電力、変調及び符号化方式ＭＣＳ、及び送信帯域幅を含む。
【０２８３】
任意で、決定パラメータは、装置７００が１次局により送信されたアップリンクデータフレームを受信するときに許容される最大干渉電力である。
【０２８４】
任意で、通信システムは、少なくとも２つの１次局を含み、プロセッサ７２０は、具体的に、
少なくとも２つの１次局のうちの全部により使用された送信パラメータに従い、少なくとも２つの１次局のうちの全部により送信されたアップリンクデータフレームが受信されるときに許容される最大干渉電力密度を決定し、
最大干渉電力密度から最小値を決定し、
最小値に従い、最大干渉電力を決定する、よう構成される。
【０２８５】
任意で、プロセッサ７２０は、具体的に、式
【数６】
0006559891.tif 000007
に従い、少なくとも２つの１次局の中の局ｋにより送信されたアップリンクデータフレームが受信されるときに許容される最大干渉電力密度を決定するよう構成され、ここで、ｉｓｄＳＴＡｋは、装置が局ｋにより送信されたアップリンクデータフレームを受信するときに許容される最大干渉電力密度を示し、ＰＴｘＳＴＡｋはアップリンクデータフレームを送信するために局ｋにより使用される送信電力を示し、ＳＩＮＲｒｅｑｕｉｒｅｄＳＴＡｋは、装置が局ｋにより送信されたアップリンクデータフレームを受信するときに要求される最小信号対干渉及び雑音比を示し、ＢＷＳＴＡｋは、局ｋがアップリンクデータフレームを送信するときに使用される送信帯域幅を示す。
【０２８６】
任意で、プロセッサ７２０は、具体的に、式Ｉｍａｘ＿ｌｅｖｅｌ＝ＳＴＡｋｍｉｎ{ｉｓｄＳＴＡｋ}・ＢＷｔｏｔａｌ／Ｒｅｄｕｎｄａｎｃｙに従い、１次リンクの送信帯域幅上の最大干渉電力を決定する、又は、
式Ｉｍｍａｘ＿ｌｅｖｅｌ＝ＳＴＡｋ∈｛ｍthｓｕｂ−ｂａｎｄ｝ｍｉｎ{ｉｓｄＳＴＡｋ}・ＢＷｍ／Ｒｅｄｕｎｄａｎｃｙに従い、Ｎ個の送信サブ帯域幅の中のｍ番目のサブ帯域幅上の最大干渉電力を決定する、よう更に構成され、ここで、
Ｉｍａｘ＿ｌｅｖｅｌは最大干渉電力を示し、ＳＴＡｋｍｉｎ{ｉｓｄＳＴＡｋ}は装置により最大干渉電力密度から決定された最小値を示し、ＢＷｔｏｔａｌは１次リンクの送信帯域幅を示し、Ｒｅｄｕｎｄａｎｃｙはシステムの中で予約された冗長性を示し、Ｉｍｍａｘ＿ｌｅｖｅｌはｍ番目のサブ帯域幅上の最大干渉電力を示し、ＢＷｍはＮ個の送信サブ帯域幅の中のｍ番目のサブ帯域幅を示し、Ｎは２以上の正整数であり、ｍは１以上且つＮ以下の正整数である。
【０２８７】
任意で、通信機７４０は、具体的に、１次局へトリガフレームを送信するよう構成される。トリガフレームのシグナリングＡフィールド又は負荷情報は、空間再使用送信シグナリングを伝達する。
【０２８８】
本発明の本実施形態におけるデータ送信機器７００は、本発明の実施形態の中のデータ送信方法における１次アクセスポイントに対応して良い。データ送信装置７００内のモジュール及び前述の他の工程及び／又は機能は、図２の方法１００の対応する手順を実施するために使用される。簡潔さのために、詳細事項はここで再び記載されない。
【０２８９】
図１２は、本発明の一実施形態によるデータ送信装置８００である。図１２に示すように、装置８００は、
バス８１０と、
バス８１０に接続されたプロセッサ８２０と、
バス８１０に接続されたメモリ８３０と、
バス８１０に接続された通信機８４０と、を含む。
【０２９０】
プロセッサ８２０は、バス８１０を使用することによりメモリ８３０に格納されたプログラムを呼び出して、通信機８４０を使用することにより、１次アクセスポイントにより送信された空間再使用送信シグナリングを受信し、ここで空間再使用送信シグナリングは１次アクセスポイントが決定パラメータに従い決定処理を実行した後に得られた決定結果に対応し、決定処理は空間再使用リンクの再使用送信装置がデータを送信するために１次リンクの時間周波数リソースのうちの全部又は一部を使用することを許可されるか否かを決定するために使用され、並びに、通信機８４０を使用することにより１次アクセスポイントへアップリンクデータフレームを送信し、ここでアップリンクデータフレームは空間再使用送信シグナリングを伝達する。したがって、空間再使用リンクの再使用送信装置は、アップリンクデータフレームから空間再使用送信シグナリングを取得し、空間再使用送信シグナリングに従い、空間再使用リンクに基づきデータ送信処理を実行できる。
【０２９１】
任意で、空間再使用送信シグナリングは、再使用送信装置がデータを送信するために１次リンクの時間周波数リソースのうちの全部又は一部を使用することを禁止されることを示すために使用される第１空間再使用送信シグナリングを含む、又は、
空間再使用送信シグナリングは、再使用送信装置がデータを送信するために１次リンクの時間周波数リソースのうちの全部又は一部を使用することを許可されることを示すために使用される第２空間再使用送信シグナリングを含む。
【０２９２】
任意で、Ｎ個の空間再使用送信シグナリング片があり、Ｎ個の空間再使用送信シグナリング片が１次リンクのＮ個の送信サブ帯域幅と１対１に対応するとき、各空間再使用送信シグナリング片は、再使用送信装置が対応する送信サブ帯域幅を使用することを許可されるか否かを決定するために使用され、Ｎ≧２である。通信機８４０は、具体的には、
Ｎ個の空間再使用送信シグナリングをＮ個の送信サブ帯域幅の各々におけるアップリンクデータフレームのシグナリングＡフィールドに追加し、Ｎ≧２である、又は、
Ｎ個の送信サブ帯域幅の中のｍ番目の送信サブ帯域幅におけるアップリンクデータフレームのシグナリングＡフィールドに、ｍ番目の送信サブ帯域幅に対応するｍ番目の空間再使用送信シグナリング片を追加し、ｍ≧１である、よう更に構成される。
【０２９３】
任意で、空間再使用送信シグナリングは、電力指示情報を含む。電力指示情報は、再使用送信装置がデータを送信するために１次リンクの時間周波数リソースのうちの全部又は一部を使用するときに使用可能な最大送信電力を示すために使用される。
【０２９４】
任意で、空間再使用送信シグナリングは、決定パラメータに従い１次アクセスポイントにより決定される。決定パラメータは、１次アクセスポイントが装置８００により送信されたアップリンクデータフレームを受信するときに許容される最大干渉電力である。
【０２９５】
本発明の本実施形態におけるデータ送信装置８００は、本発明の実施形態の中のデータ送信方法における１次局に対応して良い。データ送信装置８００内のモジュール及び前述の他の工程及び／又は機能は、図５の方法２００の対応する手順を実施するために使用される。簡潔さのために、詳細事項はここで再び記載されない。
【０２９６】
図１３は、本発明の一実施形態によるデータ送信装置９００である。図１３に示すように、装置９００は、
バス９１０と、
バス９１０に接続されたプロセッサ９２０と、
バス９１０に接続されたメモリ９３０と、
バス９１０に接続された通信機９４０と、を含む。
【０２９７】
プロセッサ９２０は、通信機９４０を使用することにより第１空間再使用送信シグナリングを受信するために、バス９１０を使用することによりメモリ９３０に格納されたプログラムを呼び出す。空間再使用送信シグナリングは、１次アクセスポイントが第１決定パラメータに従い決定処理を実行した後に得られた決定結果に対応する。決定処理は、空間再使用リンクの装置９００がデータを送信するために１次リンクの時間周波数リソースのうちの全部又は一部を使用することを許可されるか否かを決定するために使用される。
【０２９８】
プロセッサ９２０は、第１空間再使用送信シグナリングに従い、空間再使用リンクに基づきデータ送信処理を実行するために、バス９１０を使用することによりメモリ９３０に格納されたプログラムを呼び出す。
【０２９９】
任意で、空間再使用送信シグナリングが、装置９００がデータを送信するために１次リンクの時間周波数ドメインリソースのうちの全部又は一部を使用することを禁止するために使用される第２空間再使用送信シグナリングを含むとき、プロセッサ９２０は、具体的に、第２空間再使用送信シグナリングに従い、データを送信するために１次リンクの時間周波数リソースのうちの全部又は一部を使用することを断念するよう構成される。
【０３００】
任意で、空間再使用送信シグナリングが、装置９００がデータを送信するために１次リンクの時間周波数ドメインリソースのうちの全部又は一部を使用することを許可するために使用される第３空間再使用送信シグナリングを含むとき、プロセッサ９２０は、具体的に、第３空間再使用送信シグナリングに従い、空間再使用リンクに基づきデータ送信処理を実行するよう構成される。
【０３０１】
任意で、Ｎ個の空間再使用送信シグナリング片があり、Ｎ個の空間再使用送信シグナリング片が１次リンクのＮ個の送信サブ帯域幅と１対１に対応し、各空間再使用送信シグナリング片は、装置９００が対応する送信サブ帯域幅を使用することを許可されるか否かを決定するために使用され、Ｎ≧２である。プロセッサ９２０は、具体的に、Ｎ個の第１空間再使用送信シグナリング片に従い、空間再使用リンクに基づきデータ送信処理を実行するよう構成される。
【０３０２】
任意で、決定処理の後に得られた結果が、空間再使用リンクの装置９００がデータを送信するために１次リンクの時間周波数リソースのうちの全部又は一部を使用することを許可されることであるとき、空間再使用送信シグナリングは電力指示情報を含む。
【０３０３】
プロセッサ９２０は、具体的に、電力指示情報に従い、データを送信するために１次リンクの時間周波数リソースのうちの全部又は一部が使用されるときに使用可能な最大送信電力を決定するよう構成される。通信機９４０は、最大送信電力より大きくない送信電力を使用することにより、データを送信する。
【０３０４】
任意で、空間再使用送信シグナリングは、第１決定パラメータに従い１次アクセスポイントにより決定される。第１決定パラメータは、１次局により使用された送信パラメータに従い、１次アクセスポイントにより決定される。送信パラメータは、送信電力、変調及び符号化方式ＭＣＳ、及び送信帯域幅を含む。
【０３０５】
任意で、装置９００及び１次アクセスポイントは、異なる基本サービスセットＢＳＳに属する。
【０３０６】
任意で、装置９００及び１次アクセスポイントは、同じ基本サービスセットＢＳＳに属し、空間再使用リンクは、該ＢＳＳの中の局間Ｄ２Ｄ送信のために使用される。
【０３０７】
任意で、通信機９４０は、具体的に、Ｄ２Ｄ送信中にデータフレームにＤ２Ｄ送信指示情報を追加するよう構成される。Ｄ２Ｄ送信指示情報は、装置９００以外のＢＳＳの中のＤ２Ｄ局がこのＤ２Ｄ送信機会を使用することを禁止するために使用される。
【０３０８】
任意で、第１決定パラメータは、１次アクセスポイントが１次局により送信されたアップリンクデータフレームを受信するときに許容される最大干渉電力である。
【０３０９】
任意で、プロセッサ９２０は、具体的に、式ＰＴｘＳＲ＿ｍａｘ＝〜Ｉｍａｘ＿ｌｅｖｅｌ・ＬＳＲに従い、最大送信電力を決定するよう構成され、ここで、ＰＴｘＳＲ＿ｍａｘは最大送信電力を示し、〜Ｉｍａｘ＿ｌｅｖｅｌは最大干渉電力を示し、ＬＳＲは装置から１次アクセスポイントへの送信中の損失を示す。
【０３１０】
任意で、通信システムが第三者装置を更に含むとき、プロセッサ９２０は、具体的に、第４空間再使用送信シグナリングを生成するよう構成される。
【０３１１】
通信機９４０は、具体的に、第４空間再使用送信シグナリングをデータ送信中のデータフレームに追加し、第４空間再使用送信シグナリングを受信すると第三者装置がこの再使用送信機会を使用することを断念するようにする、よう構成される。
【０３１２】
本発明の本実施形態では、プロセッサは、ＣＰＵとして参照されても良い。メモリは、読み出し専用メモリ及びランダムアクセスメモリを含んで良く、プロセッサに命令及びデータを提供する。メモリの一部は、不揮発性ランダムアクセスメモリ（ＮＶＲＡＭ）を更に含んで良い。特定の適用では、データ送信装置は、パーソナルコンピュータのような標準的なＥｔｈｅｒｎｅｔ通信装置であって良く又はそれに組み込まれて良い。データ送信装置のモジュールは、バスシステムを使用することにより共に結合される。データバスに加えて、バスシステムは、電力バス、制御バス、状態信号バスを更に含む。
【０３１３】
プロセッサは、本発明の方法の実施形態において開示されたステップ及び論理ブロック図を実装し又は実行できる。プロセッサはマイクロプロセッサであって良く、プロセッサは任意の従来のプロセッサ、デコーダ、等であって良い。本発明の実施形態を参照して開示された方法のステップは、ハードウェアプロセッサにより直接実行されて良く、又は復号化プロセッサ内のハードウェア及びソフトウェアモジュールの組合せにより実行されて良い。ソフトウェアモジュールは、ランダムアクセスメモリ、フラッシュメモリ、読み出し専用メモリ、プログラマブル読み出し専用メモリ、電気的消去可能プログラマブルメモリ、又はレジスタのような、当分野で成熟した記憶媒体の中に配置されて良い。記憶媒体は、メモリの中に配置される。復号化ユニット又は処理ユニットは、メモリから情報をリードし、復号化ユニット又は処理ユニットのハードウェアと結合して前述の方法のステップを達成する。
【０３１４】
理解されるべきことに、本発明の本実施形態では、プロセッサは中央処理ユニット（Central  Processing  Unit、略してＣＰＵ）であって良く、又はプロセッサは別の汎用プロセッサ、デジタル信号プロセッサ（ＤＳＰ）、特定用途向け集積回路（ＡＳＩＣ）、フィールドプログラマブルゲートアレイ（ＦＰＧＡ）、又は別のプログラマブル論理素子、個別ゲート若しくはトランジスタ論理素子、個別ハードウェア部品、等であって良い。汎用プロセッサはマイクロプロセッサであって良く、プロセッサは任意の従来のプロセッサであって良い、等である。
【０３１５】
実装過程で、前述の方法のステップは、プロセッサの中のハードウェアの集積論理回路、又はソフトウェアの形式の命令を用いて達成されて良い。本発明の実施形態を参照して開示された方法のステップは、ハードウェアプロセッサにより直接実行されて良く、又はプロセッサ内のハードウェア及びソフトウェアモジュールの組合せを用いることにより実行されて良い。ソフトウェアモジュールは、ランダムアクセスメモリ、フラッシュメモリ、読み出し専用メモリ、プログラマブル読み出し専用メモリ、電気的消去可能プログラマブルメモリ、又はレジスタのような、当分野で成熟した記憶媒体の中に配置されて良い。記憶媒体は、メモリの中に配置される。プロセッサは、メモリから情報をリードし、プロセッサ内のハードウェアと組み合わせて、前述の方法のステップを達成する。繰り返しを回避するために、詳細事項はここに再び記載されない。
【０３１６】
本発明の本実施形態におけるデータ送信装置９００は、本発明の実施形態の中のデータ送信方法における再使用送信装置に対応して良い。データ送信装置９００内のモジュール及び前述の他の工程及び／又は機能は、図７の方法３００の対応する手順を実施するために使用される。簡潔さのために、詳細事項はここで再び記載されない。
【０３１７】
前述の処理のシーケンス番号は、本発明の種々の実施形態において実行順を意味しないことが理解されるべきである。処理の実行順は、機能及び処理の内部ロジックに従い決定されるべきであり、本発明の実施形態の実装過程に対する制限として考えられるべきではない。
【０３１８】
当業者は、本願明細書に開示の実施形態で記載された例と組み合わせて、ユニット及びアルゴリズムのステップが、電子ハードウェア又はコンピュータソフトウェア及び電子ハードウェアの組み合わせにより実施され得ることを認識できる。機能がハードウェア又はソフトウェアにより実行されるかは、技術的ソリューションの特定の適用及び設計制約条件に依存する。当業者は、各々の特定の適用について記載の機能を実施するために異なる方法を使用できるが、実装が本発明の範囲を超えることは考慮されるべきではない。
【０３１９】
便宜上及び簡潔な説明のために、前述のシステム、装置、及びユニットの詳細な動作処理については、前述の方法の実施形態における対応する処理を参照することが、当業者により明らかに理解され得る。詳細事項は、ここで再び記載されない。
【０３２０】
本願により提供される幾つかの実施形態では、開示のシステム、機器、及び方法は他の方法で実装されて良いことが理解されるべきである。例えば、記載した機器の実施形態は単なる例である。例えば、ユニットの分割は、単なる論理的機能の区分であり、実際の実装では他の区分であって良い。例えば、複数のユニット又はコンポーネントは、別のシステムに結合又は統合されて良い。或いは、幾つかの機能は無視されるか又は実行されなくて良い。さらに、表示した又は議論した相互結合又は直接結合又は通信接続は、幾つかのインタフェースを使用することにより実装されて良い。装置又はユニット間の間接結合又は通信接続は、電子的、機械的又は他の形式で実装されて良い。
【０３２１】
別個の部分として記載されたユニットは、物理的に別個であって良く又はそうでなくて良い。また、ユニットとして表示された部分は、物理的なユニットであって良く又はそうでなくて良く、つまり、１カ所に置かれて良く又は複数のネットワークユニットに分散されて良い。一部又は全部のユニットは、実施形態のソリューションの目的を達成するために実際の要件に応じて選択されて良い。
【０３２２】
さらに、本発明の実施形態における機能ユニットは、１つの処理ユニットに統合されて良く、或いは各ユニットが物理的に単独で存在して良く、或いは２以上のユニットが１つのユニットに統合されて良い。
【０３２３】
機能がソフトウェア機能ユニットの形式で実装され、独立した製品として販売され又は使用されるとき、機能は、コンピュータ可読記憶媒体に格納されて良い。このような理解に基づき、本発明の基本的技術的ソリューション、又は従来技術に貢献する部分、又は一部の技術的ソリューションは、ソフトウェア製品の形式で実施されて良い。コンピュータソフトウェアプロダクトは、記憶媒体に格納され、コンピュータ装置（パーソナルコンピュータ、サーバ、ネットワーク装置、等であって良い）に、本発明の実施形態で記載された方法のステップの全部又は一部を実行するよう指示する複数の命令を含む。前述の記憶媒体は、ＵＳＢフラッシュドライブ、取り外し可能ハードディスク、読み出し専用メモリ（ROM、Read−Only  Memory）、ランダムアクセスメモリ（RAM、Random  Access  Memory）、磁気ディスク又は光ディスクのような、プログラムコードを格納可能な任意の媒体を含む。
【０３２４】
上述の説明は、本発明の単なる特定の実装であり、本発明の保護範囲を制限するものではない。本発明で開示された技術範囲内にある、当業者により直ちに考案される変形又は置換は、本発明の保護範囲に包含される。したがって、本発明の保護範囲は、特許請求の範囲に従う。
【図１】
0006559891.tif 000008
【図２】
0006559891.tif 000009
【図３】
0006559891.tif 000010
【図４】
0006559891.tif 000011
【図５】
0006559891.tif 000012
【図６】
0006559891.tif 000013
【図７】
0006559891.tif 000014
【図８】
0006559891.tif 000015
【図９】
0006559891.tif 000016
【図１０】
0006559891.tif 000017
【図１１】
0006559891.tif 000018
【図１２】
0006559891.tif 000019
【図１３】
0006559891.tif 000020